(57)【要約】【課題】搬送される原稿を読み取るラインセンサと原稿の読取面との相対距離を変更するための駆動機構を追加することなくモアレの発生を抑制した高画質な画像読み取りを行うことができる画像読取装置の提供。【解決手段】ラインセンサ４０は、搬送路１２に沿って搬送される原稿を第１ガラス１８を通して読み取り、第２ガラス２０に載置された原稿を第２ガラス２０を通して読み取る。ラインセンサ４０の駆動源であるＣＲモータ６５が駆動されることにより、ラインセンサ４０と第１ガラス１８における原稿の読取面２５との相対距離が変更される。スキャナ１０は、相対距離をラインセンサ４０の焦点距離に略一致させた状態で第１ガラス１８を通して原稿を読み取る第１モード、又は相対距離をラインセンサ４０の焦点距離と異ならせた状態で第１ガラス１８を通して原稿を読み取る第２モードに設定される。【選択図】図２
2008193177.tif 000002
【特許請求の範囲】
【請求項１】
原稿が搬送される経路に設けられた第１透過部材と、
原稿が載置される第２透過部材と、
光源から上記第１透過部材又は上記第２透過部材を通して原稿へ光照射して該原稿からの反射光を主走査ライン毎に読み取る密着型のラインセンサと、
上記ラインセンサを上記第１透過部材又は上記第２透過部材に対向して移動させる駆動部と、
上記第１透過部材における原稿の読取面と上記ラインセンサとの相対距離を上記駆動部を駆動させて変更する制御部と、
上記制御部が上記相対距離を上記ラインセンサの焦点距離に略一致させた状態で該ラインセンサにより上記第１透過部材を通して原稿を読み取る第１モード、又は上記制御部が上記相対距離を上記ラインセンサの焦点距離と異ならせた状態で該ラインセンサにより上記第１透過部材を通して原稿を読み取る第２モードを設定する設定部と、を具備する画像読取装置。
【請求項２】
上記第１透過部材における読取面は、上記ラインセンサが移動する平面に対して傾斜されている請求項１に記載の画像読取装置。
【請求項３】
上記第１透過部材における読取面は、上記経路における原稿の搬送方向上流側よりも下流側が上記ラインセンサが移動する平面から離間されている請求項２に記載の画像読取装置。
【請求項４】
上記ラインセンサが移動する方向に厚みが階段状又はくさび状に変化し、該ラインセンサが上記第１透過部材と対向した状態で該ラインセンサと該第１透過部材との間に介在する第１スペーサを備える請求項１に記載の画像読取装置。
【請求項５】
上記ラインセンサの明度基準として該ラインセンサに読み取られる基準部材を備え、
上記制御部は、上記基準部材における読取面と上記ラインセンサとの相対距離を上記駆動部を駆動させて変更する請求項１から４のいずれかに記載の画像読取装置。
【請求項６】
上記基準部材における読取面は、上記ラインセンサが移動する平面に対して傾斜されている請求項５に記載の画像読取装置。
【請求項７】
上記ラインセンサが移動する方向に厚みが階段状又はくさび状に変化し、該ラインセンサが上記基準部材と対向した状態で該ラインセンサと該基準部材との間に介在する第２スペーサを備える請求項５に記載の画像読取装置。
【請求項８】
上記第１モード又は上記第２モードの選択を受け付ける受付部を備え、
上記設定部は、上記受付部が受け付けた選択に基づいて上記第１モード又は上記第２モードを設定する請求項１から７のいずれかに記載の画像読取装置。
【請求項９】
上記制御部は、上記相対距離が相異なる複数の位置で所定のパターンが記録されたテスト原稿を上記第１透過部材を通して読み取る動作を上記ラインセンサに実行させるものであって、
上記動作で得られた上記テスト原稿の画像信号に基づいて上記複数の位置毎にＭＴＦ（Modulation Transfer Function）値を求める演算部と、
上記第１モード又は上記第２モードにおいて上記駆動部により上記ラインセンサが配置される読取位置を上記各ＭＴＦ値に基づいてモード毎に決定する決定部と、を備える請求項１から８のいずれかに記載の画像読取装置。
【請求項１０】
上記経路に沿って搬送される原稿が載置される原稿トレイと、
上記原稿トレイに対する第１テスト原稿の載置を促す旨を報知する第１報知部と、
上記第１報知部による報知に応じて上記原稿トレイに第１テスト原稿が載置されたか否かを判断する第１判断部と、
上記原稿トレイに対する第２テスト原稿の載置を促す旨を報知する第２報知部と、
上記第２報知部による報知に応じて上記原稿トレイに第２テスト原稿が載置されたか否かを判断する第２判断部とを備え、
上記決定部は、上記第１テスト原稿が載置されたと上記第１判断部が判断したことを条件に上記第１モードに対する読取位置を決定し、上記第２テスト原稿が載置されたと上記第２判断部が判断したことを条件に上記第２モードに対する読取位置を決定する請求項９に記載の画像読取装置。
【請求項１１】
上記決定部は、ＭＴＦ値が最大となる位置を上記第１モードに対する読取位置に決定する請求項９又は１０に記載の画像読取装置。
【請求項１２】
上記決定部は、ＭＴＦ値が最大値未満であり且つ所定の閾値以上となる位置を上記第２モードに対する読取位置に決定する請求項９から１１のいずれかに記載の画像読取装置。
【請求項１３】
上記決定部は、上記演算部により複数の同じＭＴＦ値が求められたことを条件に、該ＭＴＦ値に対応する上記相対距離がより短い位置を上記読取位置と決定する請求項９から１２のいずれかに記載の画像読取装置。
【請求項１４】
外部から入力された情報に基づいて、上記搬送される原稿における上記ラインセンサの読取領域を複数の領域に区画する区画部を備え、
上記決定部は、上記第２モードに対する読取位置を上記複数の領域毎に決定し、
上記制御部は、上記第２モードにおける上記搬送される原稿の読取中に、上記区画部により区画された領域毎に上記決定部により決定された読取位置に上記ラインセンサの位置を変更する請求項９から１３のいずれかに記載の画像読取装置。
【請求項１５】
上記ラインセンサが読み取った原稿の画像を強調処理する強調部を備え、
上記強調部は、上記第１モードで得られた上記原稿の画像を第１強調係数で強調処理し、上記第２モードで得られた上記原稿の画像を上記第１強調係数よりも大きい第２強調係数で強調処理する請求項１から１４のいずれかに記載の画像読取装置。
【発明の詳細な説明】
【技術分野】
【０００１】
本発明は、自動原稿搬送機構（ＡＤＦ：Auto Document Feeder）及びフラットベッドスキャナ（ＦＢＳ：Flat Bed Scanner）を備える画像読取装置に関する。
【背景技術】
【０００２】
従来より、自動原稿搬送機構（以下、単に「ＡＤＦ」とも称される。）及びフラットベッドスキャナ（以下、単に「ＦＢＳ」とも称される。）を備える画像読取装置が知られている。この画像読取装置は、プラテンガラスに対して往復動する例えばＣＩＳ（Contact Image Sensor）等の密着型のイメージセンサを備えている。プラテンガラスに載置された原稿は、イメージセンサがプラテンガラスに沿って移動される過程で、イメージセンサによりその画像が光学的に読み取られる。ＡＤＦの原稿台に載置された原稿は、搬送路に沿って搬送される過程で所定の読取位置に配置されたイメージセンサによりその画像が光学的に読み取られる。
【０００３】
上述のイメージセンサにより印刷物などの網点原稿を読み取った場合、所謂モアレといわれる干渉縞が発生することが知られている。特許文献１には、モアレの発生を低減させるために、ラインセンサを上下動させてプラテンガラスに載置された原稿の読取面とラインセンサとの相対距離を変化させる構成が開示されている。
【０００４】
特許文献１に記載の画像読取装置は、ＣＣＤ（Charge Coupled Device）及びロッドレンズアレイを具備する画像読取ユニットがキャリッジに搭載されてなる。画像読取ユニットは、ステッピングモータの回転軸に卵形の円板カムが設けられてなるアクチュエータを備えている。画像読取ユニットは、円板カムの周面がキャリッジに当接した状態でキャリッジに搭載されている。ステッピングモータが駆動されることにより、円板カムが回転して画像読取ユニットとキャリッジとの距離が変更される。その結果、画像読取ユニットとプラテンガラスとの距離が変更される。
【０００５】
また、特許文献１には、焦点検出用のチャートを読み取って得た画像信号に基づいてＭＴＦ（Modulation Transfer Function）値を測定し、このＭＴＦ値に基づいて画像読取ユニットの高さを変更することが記載されている。この画像読取装置は、写真原稿モードと印刷物原稿モードの２つの読取モードを有している。写真原稿モードでは、ＭＴＦ値が最大となる高さに画像読取ユニットが配置されてプラテンガラス上の原稿が読み取られる。印刷物原稿モードでは、ＭＴＦ値が最大値の約４０％となる高さに画像読取ユニットが配置されてプラテンガラス上の原稿が読み取られる。
【０００６】
特許文献２には、特許文献１に開示されている画像読取装置と同様に、ラインセンサの高さを変えて相対距離を調整することが記載されている。特許文献２に記載の画像読取装置は、ＣＩＳが移動する方向を長手方向とするレールを備える。ＣＩＳは、このレール上を該レールに沿って移動する。レールは、その長手方向（軸方向）と直交する方向の断面が卵形に形成されており、レバーの操作により軸方向周りに回転されて円板カムとして機能する。このレールの回転に伴って、ＣＩＳは、プラテンガラスに対して接近又は離間される。すなわち、ＣＩＳとプラテンガラスにおける原稿の読取面との相対距離がレバーの操作によって変更される。また、特許文献２には、ＣＩＳが載置された支持板とＣＩＳとの間にジャッキを設け、つまみを操作してＣＩＳをジャッキにより上下動させることが記載されている。
【０００７】
特許文献３には、モアレが発生する原稿を読み取る際にモアレ防止プレートを使用することが記載されている。モアレ防止プレートは、原稿が載置される透明部材であり、プラテンガラス上に配置される。モアレが発生する原稿は、プラテンガラス上に配置されたモアレ防止プレート上に載置される。このように、プラテンガラスと原稿との間にモアレ防止プレートが介設されることにより、ラインセンサと原稿との距離が離間される。原稿は、ピントがずれた状態でラインセンサに読み取られるので、モアレの発生が低減される。
【０００８】
【特許文献１】特開２００２−１７１３９１号公報
【特許文献２】特開２００２−２６２０３２号公報
【特許文献３】特開平９−６５０７８号公報
【発明の開示】
【発明が解決しようとする課題】
【０００９】
ところで、特許文献１に記載の画像読取装置では、原稿の読取モードを切り替えるために、ラインセンサを上下動させる駆動機構を設ける必要がある。これは、特許文献２に開示されている構成を用いた場合も同様であり、装置の構成が複雑になって製造コストが嵩むという問題点がある。
【００１０】
特許文献３に記載の画像読取装置では、モアレの発生を低減させるためにモアレ防止プレートを配置するといったユーザにとって面倒な操作が必要である。
【００１１】
なお、ＡＤＦにより搬送される原稿を読み取る場合に、モアレの発生を抑制できる構成については、いずれの特許文献にも開示されていない。
【００１２】
本発明は、かかる問題に鑑みてなされたものであり、搬送される原稿を読み取るラインセンサと原稿の読取面との相対距離を変更するための駆動機構を追加することなくモアレの発生を抑制した高画質な画像読み取りを行うことができる画像読取装置を提供することを目的とする。
【課題を解決するための手段】
【００１３】
(1)  本発明に係る画像読取装置は、原稿が搬送される経路に設けられた第１透過部材と、原稿が載置される第２透過部材と、光源から上記第１透過部材又は上記第２透過部材を通して原稿へ光照射して該原稿からの反射光を主走査ライン毎に読み取る密着型のラインセンサと、上記ラインセンサを上記第１透過部材又は上記第２透過部材に対向して移動させる駆動部と、上記第１透過部材における原稿の読取面と上記ラインセンサとの相対距離を上記駆動部を駆動させて変更する制御部と、上記制御部が上記相対距離を上記ラインセンサの焦点距離に略一致させた状態で該ラインセンサにより上記第１透過部材を通して原稿を読み取る第１モード、又は上記制御部が上記相対距離を上記ラインセンサの焦点距離と異ならせた状態で該ラインセンサにより上記第１透過部材を通して原稿を読み取る第２モードを設定する設定部と、を具備する。
【００１４】
本発明の画像読取装置は、搬送される原稿及び第２透過部材に載置された原稿を読取可能に構成されている。ラインセンサは、搬送される原稿を読み取る際に、駆動部により第１透過部材と対向する位置へ配置される。原稿は、経路に沿って搬送される過程において、ラインセンサにより第１透過部材を通して光照射されてその反射光が主走査ライン毎に読み取られる。ラインセンサは、第２透過部材に載置された原稿を読み取る際に、駆動部により第２透過部材に沿って移動される。その過程において、原稿は、ラインセンサにより第２透過部材を通して光照射されてその反射光が主走査ライン毎に読み取られる。上記駆動部は、制御部により駆動される。この駆動により、第１透過部材における原稿の読取面とラインセンサとの相対距離が変更されるように構成されている。すなわち、ラインセンサの駆動源を利用して上記相対距離が変更される。
【００１５】
画像読取装置は、設定部により第１モード又は第２モードに設定される。第１モードにおいて、ラインセンサは、制御部により上記相対距離がラインセンサの焦点距離と略一致する位置に配置される。この状態で、搬送される原稿は、第１透過部材を通してラインセンサに読み取られる。ラインセンサのピントがあった状態で原稿が読み取られるので、鮮明な原稿の画像が得られる。第２モードにおいて、ラインセンサは、制御部により相対距離が焦点距離と異なる位置に配置される。この状態で、搬送される原稿は、第１透過部材を通してラインセンサに読み取られる。ラインセンサの解像力を低下させた状態で原稿が読み取られるので、モアレの発生が抑制された原稿の画像や、画像をぼかした原稿の画像が得られる。
【００１６】
(2)  上記第１透過部材における読取面は、上記ラインセンサが移動する平面に対して傾斜されていてもよい。
【００１７】
上記構成により、上記相対距離を変更するための部材を新たに追加することなく相対距離が容易に変更される。
【００１８】
(3)  上記第１透過部材における読取面は、上記経路における原稿の搬送方向上流側よりも下流側が上記ラインセンサが移動する平面から離間されていることが好ましい。
【００１９】
上記構成により、搬送中の原稿が第１透過部材に当接して押し付けられる。このため、第１透過部材に対する原稿の浮きが原因で相対距離が変化することが防止される。
【００２０】
(4)  本発明の画像読取装置は、上記ラインセンサが移動する方向に厚みが階段状又はくさび状に変化し、該ラインセンサが上記第１透過部材と対向した状態で該ラインセンサと該第１透過部材との間に介在する第１スペーサを備えていてもよい。
【００２１】
第１スペーサは、ラインセンサの移動方向に厚みが階段状又はくさび状に変化するものである。このため、ラインセンサは、駆動部により移動されることで第１透過部材に対して接近又は離間される。
【００２２】
(5)  上記ラインセンサの明度基準として該ラインセンサに読み取られる基準部材を備え、上記制御部は、上記基準部材における読取面と上記ラインセンサとの相対距離を上記駆動部を駆動させて変更するものでもよい。
【００２３】
上記構成により、基準部材と読取面までの距離を一致させることが可能となる。ラインセンサが第１透過部材を通して原稿を読み取る際の光量と、ラインセンサが基準部材を読み取る際の光量とに光量差が生じることが防止される。
【００２４】
(6)  上記基準部材における読取面は、上記ラインセンサが移動する平面に対して傾斜されていてもよい。
【００２５】
上記構成により、ラインセンサと基準部材との相対距離を変更するための部材を新たに追加することなく相対距離が容易に変更される。
【００２６】
(7)  本発明の画像読取装置は、上記ラインセンサが移動する方向に厚みが階段状又はくさび状に変化し、該ラインセンサが上記基準部材と対向した状態で該ラインセンサと該基準部材との間に介在する第２スペーサを備えていてもよい。
【００２７】
第２スペーサは、ラインセンサの移動方向に厚みが階段状又はくさび状に変化するものである。このため、ラインセンサは、駆動部により移動されることで基準部材に対して接近又は離間される。
【００２８】
(8)  上記第１モード又は上記第２モードの選択を受け付ける受付部を備え、上記設定部は、上記受付部が受け付けた選択に基づいて上記第１モード又は上記第２モードを設定するものでもよい。
【００２９】
これにより、ユーザの選択に応じてラインセンサの解像力が容易に変更される。
【００３０】
(9)  上記制御部は、上記相対距離が相異なる複数の位置で所定のパターンが記録されたテスト原稿を上記第１透過部材を通して読み取る動作を上記ラインセンサに実行させるものであって、上記動作で得られた上記テスト原稿の画像信号に基づいて上記複数の位置毎にＭＴＦ（Modulation Transfer Function）値を求める演算部と、上記第１モード又は上記第２モードにおいて上記駆動部により上記ラインセンサが配置される読取位置を上記各ＭＴＦ値に基づいてモード毎に決定する決定部と、を備えていてもよい。
【００３１】
テスト原稿は、例えば白黒のパターンが記録されたものである。テスト原稿は、第１透過部材を通してラインセンサにより読み取られる。ラインセンサは、駆動部により第１透過部材に対して移動される。第１透過部材に対するラインセンサの位置が変更され、ラインセンサによりテスト原稿が読み取られる。これにより、ラインセンサが配置された位置毎にテスト原稿の画像信号が得られる。これらの画像信号に基づいてラインセンサの位置毎にＭＴＦ値が求められ、各ＭＴＦ値に基づいて第１モードと第２モードに対する読取位置が決定される。搬送される原稿は、第１モードに設定されている場合と第２モードに設定されている場合とでラインセンサが異なる読取位置に配置された状態で第１透過部材を通して読み取られる。
【００３２】
(10)  上記経路に沿って搬送される原稿が載置される原稿トレイと、上記原稿トレイに対する第１テスト原稿の載置を促す旨を報知する第１報知部と、上記第１報知部による報知に応じて上記原稿トレイに第１テスト原稿が載置されたか否かを判断する第１判断部と、上記原稿トレイに対する第２テスト原稿の載置を促す旨を報知する第２報知部と、上記第２報知部による報知に応じて上記原稿トレイに第２テスト原稿が載置されたか否かを判断する第２判断部とを備え、上記決定部は、上記第１テスト原稿が載置されたと上記第１判断部が判断したことを条件に上記第１モードに対する読取位置を決定し、上記第２テスト原稿が載置されたと上記第２判断部が判断したことを条件に上記第２モードに対する読取位置を決定するものでもよい。
【００３３】
第１報知部による報知を受けてユーザが第１テスト原稿を原稿トレイに載置することにより、第１モードに対する読取位置が決定される。第２報知部による報知を受けてユーザが第２テスト原稿を原稿トレイに載置することにより、第２モードに対する読取位置が決定される。
【００３４】
(11)  上記決定部は、ＭＴＦ値が最大となる位置を上記第１モードに対する読取位置に決定するものでもよい。
【００３５】
画像読取装置が第１モードに設定されることにより、ラインセンサのピントが合った状態で原稿が読み取られる。このため、第２モードに設定されている場合に比べて明瞭な原稿の画像が得られる。
【００３６】
(12)  上記決定部は、ＭＴＦ値が最大値未満であり且つ所定の閾値以上となる位置を上記第２モードに対する読取位置に決定するものでもよい。
【００３７】
画像読取装置が第２モードに設定されることにより、ラインセンサのピントがずれた状態で原稿が読み取られる。このため、第１モードに設定されている場合に比べてモアレの発生が抑制された画像やぼかした画像が得られる。
【００３８】
(13)  上記決定部は、上記演算部により複数の同じＭＴＦ値が求められたことを条件に、該ＭＴＦ値に対応する上記相対距離がより短い位置を上記読取位置と決定するものでもよい。
【００３９】
これにより、第１透過部材に対して原稿の浮きが生じた場合に、読み取られた原稿の画像が極端に不明瞭になることが防止される。
【００４０】
(14)  外部から入力された情報に基づいて、上記搬送される原稿における上記ラインセンサの読取領域を複数の領域に区画する区画部を備え、上記決定部は、上記第２モードに対する読取位置を上記複数の領域毎に決定し、上記制御部は、上記第２モードにおける上記搬送される原稿の読取中に、上記区画部により区画された領域毎に上記決定部により決定された読取位置に上記ラインセンサの位置を変更するものでもよい。
【００４１】
外部から情報が入力される。搬送される原稿の読取領域は、この情報に基づいて複数の領域に区画される。この場合、第２モードに対する読取位置は、区画された領域毎に決定される。第２モードにおいて、搬送される原稿が第１透過部材を通してラインセンサに読み取られる。この原稿の読取中に、領域毎にラインセンサの読取位置が変更される。これにより、領域によってラインセンサの解像力が変更されて原稿が読み取られる。その結果、得られた原稿の画像は、全体としてモアレの発生が抑制され、且つ一部の領域で画像がぼかされたものとなる。
【００４２】
(15)  上記ラインセンサが読み取った原稿の画像を強調処理する強調部を備え、上記強調部は、上記第１モードで得られた上記原稿の画像を第１強調係数で強調処理し、上記第２モードで得られた上記原稿の画像を上記第１強調係数よりも大きい第２強調係数で強調処理するものでもよい。
【００４３】
ラインセンサに読み取られた原稿の画像は、強調部により強調処理される。第２モードで得られた原稿の画像は、第１モードで得られた原稿の画像に対して、より高い強調係数で強調処理される。第２モードで原稿が読み取られることにより、モアレの発生が抑制され且つ画像がぼやけることが防止される。
【発明の効果】
【００４４】
本発明によれば、第１モードに設定されることにより鮮明な原稿の画像が得られ、第２モードに設定されることによりモアレの発生が抑制された画像が得られる。したがって、原稿の種類や読取解像度に応じてモードを切り替えることにより、高画質な原稿の画像を得ることができる。
【発明を実施するための最良の形態】
【００４５】
以下、適宜図面が参照されて本発明の実施形態が説明される。なお、本実施形態は本発明の一例にすぎず、本発明の要旨を変更しない範囲で、実施形態を適宜変更できることは言うまでもない。
【００４６】
［第１実施形態］
図１は、本発明の第１実施形態に係るスキャナ１０の外観構成を示す斜視図であり、原稿カバー１７が開かれた状態を示す。
【００４７】
スキャナ１０（本発明に係る画像読取装置の一例）は、原稿の画像を読み取るスキャナ機能を有するものである。本実施形態においては、スキャナ機能のみを有するスキャナ１０を例に本発明が説明される。ただし、本発明に係る画像読取装置は、スキャナ１０に限定されるものではない。本発明に係る画像読取装置は、コピー機やファクシミリ機、複数の機能を有する複合機（Multi Function Device）として実現されてもよい。
【００４８】
図１に示されるように、スキャナ１０は、原稿台１１を備える。原稿台１１は、フラットベッドスキャナ（ＦＢＳ：Flat Bed Scanner）として機能するものである。原稿台１１は、略直方体の筐体１５を有する。筐体１５の内部にはラインセンサ４０（図２及び図３参照）が設けられている。スキャナ１０では、このラインセンサ４０により原稿の画像が読み取られる。
【００４９】
図１に示されるように、スキャナ１０は、原稿カバー１７を備える。原稿カバー１７は、後述の第２ガラス２０（本発明の第２透過部材の一例）に載置された原稿を第２ガラス２０に密着させるものである。原稿カバー１７は、原稿台１１に対して開閉自在に設けられている。具体的には、原稿カバー１７は、原稿台１１の背面側の蝶番（不図示）を介して原稿台１１と回動可能に連結されている。この原稿カバー１７は、自動原稿搬送機構（ＡＤＦ：Auto Document Feeder）２８を備えている。
【００５０】
図２は、本発明の第１実施形態に係るスキャナ１０における搬送路１２の一部を示す模式断面図である。
【００５１】
図１及び図２に示されるように、ＡＤＦ２８は、原稿トレイ２２に載置された原稿を搬送路１２に沿って排紙トレイ２３へ搬送するものである。すなわち、搬送路１２は、原稿が搬送される経路である。なお、図２においては、原稿トレイ２２と搬送路１２における原稿トレイ２２側の一部が省略されている。原稿トレイ２２（図１参照）及び排紙トレイ２３（図２参照）は、原稿トレイ２２を上側として上下二段となるように原稿カバー１７に設けられている。搬送路１２は、縦断面視において横向き略Ｕ字形状となるようにＡＤＦ２８の内部に設けられている。搬送路１２は、ＡＤＦ２８本体を構成する部材やガイド板、ガイドリブ等により、原稿が通過可能な所定幅の通路として連続的に形成されている。この搬送路１２により原稿トレイ２２及び排紙トレイ２３が連結されている。
【００５２】
搬送路１２には、原稿を搬送する複数のローラ７３（図４参照）が配設されている。図には示されていないが、ローラ７３は、所謂ピックアップローラ、分離ローラ、搬送ローラ、及び排紙ローラから構成される。これらの各ローラ７３には、単一のモータ７２（図４参照）から駆動力が伝達される。各ローラ７３の回転力が原稿に伝達され、原稿が原稿トレイ２２から排紙トレイ２３へ向けて搬送路１２に沿って搬送される。図２に示されるように、搬送路１２の途中には、第１ガラス１８（本発明の第１透過部材の一例）が設けられている。原稿カバー１７が閉じられた状態において、原稿トレイ２２に載置された原稿は、ＡＤＦ２８により搬送路１２に沿って搬送されて第１ガラス１８上を通過する。その際、原稿は、第１ガラス１８の下方に待機するラインセンサ４０によりその画像が読み取られる。原稿は、さらに搬送されて排紙トレイ２３へ排出される。
【００５３】
図１に示されるように、筐体１５の一部を構成する上カバー１６の天面には、第１ガラス１８及び第２ガラス２０が配設されている。第１ガラス１８は、透明なガラス板やアクリル板等からなる透過板である。原稿トレイ２２に原稿が載置されて原稿の読取開始が指示されると、ラインセンサ４０が第１ガラス１８と対向する位置（例えば図６参照）に配置される。原稿トレイ２２上の原稿は、ＡＤＦ２８により搬送路１２に沿って搬送される。その過程で、第１ガラス１８上を搬送される原稿の画像が第１ガラス１８を通してラインセンサ４０により読み取られる。
【００５４】
第２ガラス２０（図１参照）は、原稿台１１をＦＢＳとして使用する場合に原稿が載置されるものである。第２ガラス２０は、透明なガラス板やアクリル板等からなる透過板である。第２ガラス２０に原稿が載置されて原稿の読取開始が指示されると、ラインセンサ４０が第２ガラス２０に対向して原稿の副走査方向（矢印３８で示される方向）へ移動される。その過程で、第２ガラス２０上の原稿の画像が第２ガラス２０を通してラインセンサ４０により読み取られる。
【００５５】
原稿台１１の天面における第１ガラス１８と第２ガラス２０との間には、区画部材５１（図１及び図２参照）が設けられている。区画部材５１は、第１ガラス１８及び第２ガラス２０と同様にスキャナ１０の奥行き方向（矢印３９で示される方向）に延設された長尺の部材である。図２に示されるように、区画部材５１は、スキャナ１０の幅方向の断面が略Ｌ字形状のものである。第１ガラス１８は、その短手方向の一端（図２における右側）が区画部材５１により支持されている。区画部材５１は、第２ガラス２０に原稿を載置する際に原稿の位置決め基準として用いられる。区画部材５１には、中央位置やＡ４（日本工業規格Ａ列４番）サイズ、Ｂ５（日本工業規格Ｂ列５番）サイズ等の各種原稿サイズの両端位置を示す表示が記されている。原稿は、区画部材５１に記された中央位置を基準として第２ガラス２０に載置される。
【００５６】
第１ガラス１８及び第２ガラス２０は、原稿カバー１７が開かれることによりその上面が露出される（図１参照）。原稿カバー１７が閉じられることにより、第１ガラス１８及び第２ガラス２０を含む原稿台１１の上面全体が原稿カバー１７に覆われる。原稿カバー１７の下面には、第２ガラス２０を覆う原稿押さえ１９（図１参照）が設けられている。原稿押さえ１９は、第２ガラス２０上に載置された原稿を押さえるために、スポンジ及び白板等から構成されている。原稿カバー１７が閉じられると、第２ガラス２０に載置された原稿は、原稿カバー１７により原稿押さえ１９を介して第２ガラス２０へ向けて押圧される。また、第１ガラス１８は、原稿台１１の上面に設けられているので、原稿カバー１７が閉じられることにより搬送路１２の一部を構成する。このため、ＡＤＦ２８は、原稿台１１に対して原稿カバー１７が閉じられた状態で使用される。
【００５７】
図３は、原稿台１１の内部構成を示す平面図である。なお、図３においては、上カバー１６が取り外された状態が示されている。
【００５８】
図３に示されるように、原稿台１１における筐体１５の内部には、画像読取ユニット１４が設けられている。画像読取ユニット１４は、第１ガラス１８又は第２ガラス２０を通して原稿を読み取るものである。画像読取ユニット１４は、ラインセンサ４０、キャリッジ４１、ガイドシャフト４２、及びベルト駆動機構４３から構成される。
【００５９】
ラインセンサ４０は、光源から原稿へ光照射して原稿からの反射光を主走査ライン毎に読み取るものである。ラインセンサ４０としては、焦点距離が短い読取デバイスが使用される。本実施形態においては、ラインセンサ４０は、いわゆる密着型のイメージセンサ（ＣＩＳ：Contact Image Sensor）である。図には示されていないが、ラインセンサ４０は、光源、レンズ、及び受光素子を備える。ラインセンサ４０は、光源から第１ガラス１８又は第２ガラス２０を通して原稿に光を照射する。すなわち、ラインセンサ４０は、ＡＤＦ２８により搬送される原稿に第１ガラス１８を通して光を照射し、又は第２ガラス２０に載置された原稿に第２ガラス２０を通して光を照射する。ラインセンサ４０は、原稿からの反射光をレンズにより受光素子に集光して電気信号（画像信号）に変換する。これにより、原稿の画像が得られる。ラインセンサ４０の受光素子は、例えばチップ単位で原稿の主走査方向（矢印３９で示される方向）に並べて配置されている。ラインセンサ４０の光源及びレンズは、この受光素子と同方向に配列されている。
【００６０】
キャリッジ４１は、その上側にラインセンサ４０を搭載する（図２参照）。筐体１５の内部には、その幅方向（図３における左右方向）にわたってガイドシャフト４２が架設されている。キャリッジ４１は、このガイドシャフト４２と嵌合している。キャリッジ４１は、ベルト駆動機構４３により駆動されてガイドシャフト４２上を矢印３８で示される方向へ移動する。キャリッジ４１の長手方向の両端に対応するキャリッジ４１の上面には、ローラ３０（図２及び図３参照）が設けられている。各ローラ３０は、キャリッジ４１の移動方向（矢印３８で示される方向）に転動可能な状態でキャリッジ４１にそれぞれ軸支されている。各ローラ３０は、キャリッジ４１の上面から均等に上方へ突出している。筐体１５の上面側には、ガイド部材３４（図２参照）が設けられている。ガイド部材３４は、キャリッジ４０の移動方向に延設された細長の平板部材である。このガイド部材３４は、ローラ３０が移動する軌跡に沿うように配置されている。各ローラ３０は、ガイド部材３４（図２参照）の裏面に当接する。これにより、ラインセンサ４０の上面と第２ガラス２０の裏面との間に一定の間隙が形成される。この一定の間隙により、ラインセンサ４０の焦点が第２ガラス２０の上面に一致している。各ローラ３０の転動により、キャリッジ４１がガイド部材３４に沿って円滑に移動される。ラインセンサ４０がキャリッジ４１に搭載されているので、ラインセンサ４０は、第１ガラス１８又は第２ガラス２０に対向して移動される。
【００６１】
ベルト駆動機構４３（図３参照）は、駆動ベルト４４、駆動プーリ４５、及び従動プーリ４６から構成される。図３に示されるように、駆動プーリ４５及び従動プーリ４６は、筐体１５の幅方向の両端にそれぞれ設けられている。駆動ベルト４４は、内側に歯が設けられた無端環状のものであり、駆動プーリ４５と従動プーリ４６との間に張架されている。駆動プーリ４５の軸には、ＣＲ（キャリッジ）モータ６５（本発明の駆動部に相当する：図４参照）から駆動力が伝達される。駆動プーリ４５の回転により駆動ベルト４４が周運動し、キャリッジ４１に搭載されたラインセンサ４０が第１ガラス１８又は第２ガラス２０に対向して移動される。なお、ＣＲモータ６５としては例えばステッピングモータが用いられる。スキャナ１０の幅方向（矢印３９で示される方向）におけるラインセンサ４０の位置は、ＣＲモータ６５のステップ数を測定することによって監視される。
【００６２】
ＡＤＦ２８により搬送される原稿は、第１ガラス１８に沿って移動される。原稿は、第１ガラス１８の下方に配置されたラインセンサ４０によりその画像が第１ガラス１８を通して読み取られる。このため、第１ガラス１８の上面には、ラインセンサ４０による原稿の読取面２５（図２参照）が構成される。ここで、読取面２５は、第１ガラス１８におけるラインセンサ４０の読取領域である。つまり、第１ガラス１８上を通過する原稿は、第１ガラス１８の上面における読取領域２５においてラインセンサ４０によりその画像が読み取られる。図２に示されるように、読取面２５は、ラインセンサ４０が移動する平面（図３の紙面に平行な面：以下、「移動面」とも称される。）に対して傾斜されている。本実施形態においては、読取面２５は、搬送路１２における原稿の搬送方向上流側（図２における左側）よりも下流側（図２における右側）が移動面から離間されている（図２参照）。このため、搬送中の原稿は、第１ガラス１８に当接して押し付けられる。その結果、第１ガラス１８に対する原稿の浮きが原因でラインセンサ４０の上面と読取面２５との相対距離が変化することが防止される。
【００６３】
ラインセンサ４０は、ＣＲモータ６５から付与される駆動力により、第１ガラス１８と対向して移動される。ＣＲモータ６５の駆動は、後述の制御部５５（図４参照）により制御される。この制御部５５が本発明の制御部、設定部、受付部、演算部、決定部、第１報知部、第１判断部、第２報知部、第２判断部、及び区画部に相当する。上述のように、第１ガラス１８における読取面２５は、移動面に対して傾斜されている。制御部５５は、ＣＲモータ６５を駆動させてラインセンサ４０（キャリッジ４１）を矢印３８で示される方向へ移動させる。ラインセンサ４０の位置に応じて、読取面２５の位置が第１ガラス１８の短手方向に移動する（図６参照）。これにより、制御部５５は、第１ガラス１８における原稿の読取面２５とラインセンサ４０との相対距離（以下、「第１相対距離」とも称される。）を変更する（図６中のＤ１〜Ｄ３参照）。ラインセンサ４０の駆動源であるＣＲモータ６５を利用して第１相対距離が変更されるので、簡易な構成で第１相対距離を変更することが可能である。すなわち、第１相対距離を変更するための部材を新たに追加することなく第１相対距離が容易に変更される。第１相対距離が変更されることにより、原稿の読取面２５に対してラインセンサ４０のピントを変更して、ＡＤＦ２８により搬送される原稿を読み取ることができる。
【００６４】
なお、移動面に対する読取面２５の傾斜角は、特に限定されるものではない。ただし、傾斜角は、ラインセンサ４０のＭＴＦ（Modulation Transfer Function）特性に基づいて設定されることが好ましい。傾斜角を大きくすると、ラインセンサ４０の移動に対する第１相対距離の変化が大きくなる。逆に、傾斜角を小さくすると、ラインセンサ４０の移動による第１相対距離の変化は小さくなる。したがって、ラインセンサ４０としてピントが合う範囲が非常に狭い読取デバイスを使用する場合には、傾斜角を小さめに設定することが好ましい。逆に、ラインセンサ４０としてピントが合う範囲が割と広い読取デバイスを使用する場合には、傾斜角を大きめに設定してもよい。また、読取面２５は、搬送路１２における原稿の搬送方向下流側よりも上流側が移動面から離間されていてもよい。ただし、読取面２５に対する原稿の浮きを防止するために、読取面２５は、原稿の搬送方向上流側よりも下流側が移動面から離間されていることが好ましい。
【００６５】
図２に示されるように、第１ガラス１８の上方にはプラテン４９が設けられている。プラテン４９は、第１ガラス１８と対向する面が第１ガラス１８に沿ってスキャナ１０の奥行き方向（矢印３９で示される方向）に延設されている。プラテン４９は、ＡＤＦ２８を構成する部材（不図示）にコイルバネ３５を介して取り付けられている。図には示されていないが、プラテン４９の長手方向の両端には、第１ガラス１８へ向けて突出する凸部が設けられている。この凸部により、原稿カバー１７が閉じられた際に第１ガラス１８とプラテン４９とが所定の間隔を隔てて対向配置される。所定の間隔は、原稿の厚さよりも若干長く設定されている。このため、原稿は、その移動がプラテン４９に規制されることなく第１ガラス１８に沿って円滑に搬送される。
【００６６】
図１及び図２に示されるように、第１ガラス１８を挟んで第２ガラス２０の反対側には、基準部材３７が設けられている。基準部材３７は、上カバー１６の裏面に設けられている。この基準部材３７は、ラインセンサ４０の明度基準としてラインセンサ４０によりその画像が読み取られるものである。すなわち、基準部材３７は、ラインセンサ４０の光量調整や白基準データ９０〜９２（図５参照）の取得に用いられる。なお、光量調整及び白基準データ９０〜９２の取得については後に詳述される。基準部材３７は、ラインセンサ４０の主走査方にラインセンサ４０と略同じ長さを有する薄膜帯状の部材であり、ラインセンサ４０と対向する面が白色のものである。基準部材３７は、上カバー１６に形成された傾斜部４８の裏面に貼設されている。傾斜部４８は、移動面に対して第１ガラス１８と同じ傾斜角で傾斜されている。このため、基準部材３７の読取面２７は、第１ガラス１８と略同じ角度で移動面に対して傾斜されている。ここでの読取面２７は、基準部材３７の裏面全体を指すものではなく、基準部材３７においてラインセンサ４０により読み取られる面を意味する。なお、図２に示されるように、第１ガラス１８及び基準部材３７は、スキャナ１０の幅方向に対して線対称に傾斜されている。
【００６７】
制御部５５は、ＣＲモータ６５を駆動させてラインセンサ４０（キャリッジ４１）を移動させることにより、基準部材３７の読取面２７とラインセンサ４０との相対距離（以下、「第２相対距離」とも称される。）を変更する。ラインセンサ４０の駆動源であるＣＲモータ６５を利用して第２相対距離が変更されるので、簡易な構成で第２相対距離を変更することが可能である。すなわち、ラインセンサ４０と基準部材３７との第２相対距離を変更するための部材を新たに追加することなく第２相対距離が容易に変更される。第２相対距離が変更されることにより、ラインセンサ４０のピントを変更して、読取面２７を読み取ることができる。
【００６８】
図１に示されるように、スキャナ１０の正面上部には、操作パネル１３が設けられている。操作パネル１３は、各種情報を表示する液晶ディスプレイ、ユーザが情報を入力する入力キー等から構成される。スキャナ１０は、この操作パネル１３からの操作入力に基づいて動作する。第２ガラス２０に載置された原稿、或いは、原稿トレイ２２に載置された原稿の読み取り開始を指示するユーザの操作入力は、この操作パネル１３から行われる。なお、スキャナ１０は、操作パネル１３からの指示のほか、コンピュータに接続されて該コンピュータからスキャナドライバ等を介して送信される指示によっても動作される。
【００６９】
図４は、スキャナ１０の制御部５５の構成例を示すブロック図である。図５は、画像処理回路７９の構成例を示すブロック図である。
【００７０】
制御部５５は、スキャナ１０の全体動作を制御する。図４に示されるように、制御部５５は、ＣＰＵ（Central Processing Unit）５６、ＲＯＭ（Read Only Memory）５７、ＲＡＭ（Random Access Memory）５８、及びＥＥＰＲＯＭ（Electrically Erasable and Programmable ROM）５９を主とするマイクロコンピュータとして構成されている。この制御部５５は、バス６０を介してモータ制御回路１２４、モータ制御回路１２５、読取制御回路１２６、画像処理制御回路１２７、パネル制御回路１２８、及びセンサ入力回路１２９に接続されている。
【００７１】
ＲＯＭ５７は、ＣＰＵ５６によってスキャナ１０の各種動作を制御する制御プログラム等を格納する。ＲＡＭ５８は、ＣＰＵ５６により制御プログラムを実行する際に用いる各種データを一時的に記憶する記憶領域又は作業領域である。図５に示されるように、ＲＡＭ５８は、第１光量調整値１０１、第２光量調整値１０２、第３光量調整値１０３、第１白基準データ９０、第２白基準データ９１、第３白基準データ９２等のデータを記憶する。これらのデータについては、後に詳述される。
【００７２】
ＲＡＭ５８は、読取モード情報２４（図４参照）を記憶する。読取モード情報２４は、操作パネル１３からの操作入力に基づいて制御部５５が設定した原稿の読取モードを示す情報である。ＡＤＦ２８により搬送される原稿の読み取りは、この読取モード情報２４に基づいて行われる。本実施形態においては、制御部５５は、通常モード（本発明の第１モードに相当）、モアレ低減モード（本発明の第２モードの一例）、及びぼかしモード（本発明の第２モードの一例）のいずれかを設定する。通常モードは、制御部５５が第１相対距離をラインセンサ４０の焦点距離に略一致させた状態でラインセンサ４０により第１ガラス１８を通して原稿を読み取る読取モードである。換言すれば、通常モードは、第１ガラス１８における原稿の読取面２５にラインセンサ４０のピント（焦点）を合わせた状態で原稿を読み取る読取モードである。モアレ低減モード及びぼかしモードは、制御部５５が第１相対距離をラインセンサ４０の焦点距離と異ならせた状態でラインセンサ４０により第１ガラス１８を通して原稿を読み取る読取モードである。なお、モアレ低減モードとぼかしモードとは、第１相対距離が大きく異なる。モアレ低減モードは、ラインセンサ４０のピントを第１ガラス１８における原稿の読取面２５から若干ずらした状態で原稿を読み取る読取モードである。ぼかしモードは、ラインセンサ４０のピントを読取面２５から若干ずらした状態で原稿の一部の領域（後述のぼかし領域外）を読み取り、ラインセンサ４０のピントを読取面２５から大きくずらした状態で原稿の残りの領域（後述のぼかし領域内）を読み取る読取モードである。
【００７３】
なお、読取モード情報２４は、操作パネル１３からの操作入力に代えて、コンピュータから送信される指示に基づいて設定されてもよい。また、本実施形態においては、本発明の第２モードがモアレ低減モードとぼかしモードの２つの読取モードを含む形態について説明するが、第２モードはこれらのいずれか一方であってもよい。すなわち、制御部５５が通常モード又はモアレ低減モードを設定する形態、或いは、通常モード又はぼかしモードを設定する形態であってもよい。
【００７４】
ＥＥＰＲＯＭ５９は、電源オフ後も保持すべき各種設定やフラグ等を格納する。本実施形態においては、ＥＥＰＲＯＭ５９は、第１位置３１、第２位置３２、及び第３位置３３を格納する。これらの位置情報は、ＲＡＭ５８に設定される読取モード情報２４に対してラインセンサ４０が配置される副走査方向の読取位置を示す情報である。第１位置３１は、読取面２５に対してラインセンサ４０のピントが合う読取位置である。第２位置３２は、読取面２５からラインセンサ４０のピントが若干ずれた読取位置である。第３位置３３は、読取面２５からラインセンサ４０のピントが第２位置３２に比べてさらにずれた読取位置である。
【００７５】
図６は、ラインセンサ４０の読取位置を例示した模式断面図であり、（Ａ）は第１位置３１に対応する読取位置、（Ｂ）は第２位置３２に対応する読取位置、（Ｃ）は第３位置３３に対応する読取位置を示す。
【００７６】
ＲＡＭ５８の読取モード情報２４が通常モードに設定され、ＡＤＦ２８により搬送される原稿が読み取られる。原稿は、ラインセンサ４０が第１位置３１に対応する読取位置（図６（Ａ）参照）に配置された状態でその画像が読取面２５において読み取られる。第１位置３１は、読取面２５に対してラインセンサ４０のピントが合う位置なので、解像度の高い鮮明な原稿の画像が得られる。すなわち、通常モードは、モアレが発生しにくい写真原稿などを読み取るのに適した読取モードである。
【００７７】
ＲＡＭ５８の読取モード情報２４がモアレ低減モードに設定され、ＡＤＦ２８により搬送される原稿が読み取られる。原稿は、ラインセンサ４０が第２位置３２に対応する読取位置（図６（Ｂ）参照）に配置された状態でその画像が読取面２５において読み取られる。第２位置３２は、ラインセンサ４０のピントが読取面２５からずらされた位置なので、モアレの発生が抑制された原稿の画像が得られる。すなわち、モアレ低減モードは、モアレが発生しやすい網点原稿を読み取るのに適した読取モードである。
【００７８】
ＲＡＭ５８の読取モード情報２４がぼかしモードに設定され、ＡＤＦ２８により搬送される原稿が読み取られる。原稿は、ラインセンサ４０が第２位置３２に対応する読取位置（図６（Ｂ）参照）に配置された状態で後述のぼかし領域外の画像が読み取られる。また、その原稿は、ラインセンサ４０が第３位置３３に対応する読取位置（図６（Ｃ）参照）に配置された状態で残りの領域（ぼかし領域内）の画像が読み取られる。これにより、ぼかし領域外の画像に対してモアレの発生が抑制され、ぼかし領域内の画像が識別不能なまでにぼかされた原稿の画像が得られる。すなわち、ぼかしモードは、原稿の一部の領域をぼかして読み取るのに適した読取モードである。第１位置３１、第２位置３２、及び第３位置３３の決定方法、各読取モードにおける原稿の読取動作については、後に詳述される。
【００７９】
第１ガラス１８を通してラインセンサ４０に読み取られた原稿の画像（画像データ）は、後述のフィルタ処理回路８５（図５参照）により強調（鮮鋭化）処理される。ＥＥＰＲＯＭ５９には、この強調処理に使用される係数（強調係数）７５，７６が記憶されている。第１係数７５（本発明の第１強調係数の一例）、及び第２係数７６（本発明の第２強調係数の一例）については後に詳述される。
【００８０】
図４に示されるように、モータ制御回路１２４には、駆動回路７１が接続されている。モータ制御回路１２５には、駆動回路６６が接続されている。読取制御回路１２６には、ラインセンサ４０及びＡＦＥ（Analog Front End）回路７８が接続されている。画像処理制御回路１２７には、画像処理回路７９が接続されている。パネル制御回路１２８には、操作パネル１３が接続されている。センサ入力回路１２９には、原稿検出センサ３６が接続されている。
【００８１】
駆動回路７１は、モータ７２を駆動させるものである。モータ７２は、正逆双方向に回転可能に構成されている。駆動回路７１は、モータ制御回路１２４からの出力信号を受けて、モータ７２を回転させるパルス信号を生成する。このパルス信号に基づいて、モータ７２が回転される。モータ７２は、ローラ７３に駆動力を付与するものであり、ＡＤＦ２８における駆動源である。制御部５５は、駆動回路７１により生成されたパルス信号のパルス数をカウントする。これにより、モータ７２のステップ数がカウントされる。カウントされたステップ数は、ＲＡＭ５８に一時的に記憶される。
【００８２】
画像読取ユニット１４は、原稿の読取動作を実行して、原稿の画像を画像信号として出力するものである。画像読取ユニット１４は、ラインセンサ４０、キャリッジ４１、ＣＲモータ６５、及び駆動回路６６を有する。駆動回路６６は、モータ制御回路１２５から入力される相励磁信号等に基づいて、ＣＲモータ６５に駆動信号を通電する。ＣＲモータ６５は、例えばステッピングモータである。ＣＲモータ６５は、駆動信号を受けて回転する。これにより、キャリッジ４１が往復動される。また、駆動回路６６は、ラインセンサ４０の光源を点灯させるための動作電流の調整等も行う。また、制御部５５は、ＲＯＭ５７に格納されている制御プログラムに基づいて画像読取ユニット１４を制御することにより、原稿の読取動作の他、光量調整値１０１，１０２，１０３や白基準データ９０，９１，９２の取得等を行う。
【００８３】
ラインセンサ４０は、第２ガラス２０に載置された原稿、又はＡＤＦ２８により第１ガラス１８上を搬送される原稿に光源から光を照射してその原稿画像を１ライン毎に読み取る。読み取られた画像は、画像信号（画像データ）としてラインセンサ４０からＡＦＥ回路７８へ出力される。
【００８４】
ラインセンサ４０は、原稿が載置された第２ガラス２０に対向してキャリッジ４１により移動される。この過程において、ラインセンサ４０は、光源から第２ガラス２０を通して原稿へ光照射して原稿からの反射光を１ラインの画像信号として出力する動作を繰り返す。これにより、第２ガラス２０に載置されている原稿全体の画像が得られる。
【００８５】
ラインセンサ４０は、キャリッジ４１により移動されて第１ガラス１８と対向する位置に配置される。この状態で、原稿トレイ２２に載置された原稿は、ＡＤＦ２８により搬送路１２に沿って搬送される。この過程において、ラインセンサ４０は、光源から第１ガラス１８を通して原稿へ光照射して原稿からの反射光を１ラインの画像信号として出力する動作を繰り返す。これにより、第１ガラス１８上を通過する原稿全体の画像が得られる。
【００８６】
ＡＦＥ回路７８は、ラインセンサ４０から出力されたアナログの各画像信号をサンプルホールドし、サンプルホールドされた画像信号をデジタル変換するとともにシリアル化する。デジタル変換は、ラインセンサ４０から出力されたアナログの画像信号を所定ビット数のデジタルコードからなるデジタル信号に変換する処理である。このデジタル変換は、アナログ／デジタル変換器により行われる。ＡＦＥ回路７８に入力されたアナログの画像信号は、例えば８ビット（２５６階調：０〜２５５）のデジタルの画像信号として画像処理回路７９へ出力される。
【００８７】
図５に示されるように、画像処理回路７９は、サンプリング回路８１、暗補正回路８２、シェーディング補正回路８３、γ補正回路８４、フィルタ処理回路８５、解像度変換回路８６、色変換処理回路８７、及び２値化処理回路８８から構成される。
【００８８】
サンプリング回路８１は、ＡＦＥ回路７８から出力された画像信号をサンプリングする。暗補正回路８２は、ラインセンサ４０の受光素子間のばらつきを補正するために、サンプリング回路８１から出力された画像信号を補正する。この画像信号の補正は、ＲＡＭ５８に記憶されている黒基準データに基づいて行われる。黒基準データは、ラインセンサ４０が光源を消灯させた状態で図外の基準部材を読み取って得られるデータである。
【００８９】
シェーディング補正回路８３は、暗補正回路８２から出力された画像信号をシェーディング補正するものである。シェーディング補正が行われることにより、ラインセンサ４０の受光素子間及び光源のばらつきが補正される。シェーディング補正回路８３によるシェーディング補正は、白基準データ９０，９１，９２のいずれかに基づいて行われる。ラインセンサ４０が第１位置３１に対応する読取位置に配置された状態で読み取られた原稿の画像信号は、第１白基準データ９０に基づいてシェーディング補正される。ラインセンサ４０が第２位置３２に対応する読取位置に配置された状態で読み取られた原稿の画像信号は、第２白基準データ９１に基づいてシェーディング補正される。ラインセンサ４０が第３位置３３に対応する読取位置に配置された状態で読み取られた原稿の画像信号は、第３白基準データ９２に基づいてシェーディング補正される。
【００９０】
フィルタ処理回路８５は、原稿の画像信号に対して強調（鮮鋭化）処理を行うものである。強調処理は、原稿の画像信号の濃淡変化を強調する処理である。強調処理は、２次微分値などを注目画素から減算することで行われる。フィルタ処理回路８５は、以下に示す式１の演算式に基づいて原稿の画像信号を強調処理する。
【００９１】
【数１】
2008193177.tif 000003
【００９２】
式１の演算式において、ｇ（ｘ，ｙ）は、強調処理後の画像データである。ｆ（ｘ，ｙ）は、フィルタ処理回路８５へ入力される入力画像データである。ｈは、フィルタ係数である。注目画素から２次微分値を減算するｈを以下の式２に示す。
【００９３】
【数２】
2008193177.tif 000004
【００９４】
式２の演算式において、ｋを大きくすることによって減算する２次微分値が大きくなり強調度合いが強くなる。このため、ｋを強調係数とする。本実施形態においては、ラインセンサ４０が配置される読取位置（第１位置３１〜第３位置３３）に応じて強調係数ｋが変更される。原稿の画像信号がラインセンサ４０を第１位置３１に対応する読取位置に配置した状態で得られたものである場合、強調係数ｋには第１係数７５が使用される。原稿の画像信号がラインセンサ４０を第２位置３２に対応する読取位置に配置した状態で得られたものである場合、強調係数ｋには第２係数７６が使用される。係数７５，７６は、第２係数７６が第１係数７５よりも大きくなるように設定されている。
【００９５】
なお、γ補正回路８４、解像度変換回路８６、色変換処理回路８７、２値化処理回路８８は周知のものであり、詳細な説明は省略する。
【００９６】
パネル制御回路１２８は、制御部５５からの指示をもとに、操作パネル１３の液晶ディスプレイを制御する信号を生成する。また、パネル制御回路１２８は、操作パネル１３から入力された情報を制御部５５へ伝えるインターフェース回路を備える。
【００９７】
センサ入力回路１２９は、原稿検出センサ３６（図４参照）からの出力信号（センサ信号）をノイズ除去して所定の出力先へ出力する。原稿検出センサ３６は、原稿トレイ２２（図１参照）における原稿の有無を検出するものであり、原稿トレイ２２の所定位置に配置されている。原稿検出センサ３６は、本実施形態においてはメカニカルセンサである。この原稿検出センサ３６は、透過型の光センサ（フォトインタラプタ）及び回動可能に軸支された遮蔽部材を備える。フォトインタラプタは、光を出射する発光部、及び発光部から出射された光を受光する受光部が対向配置されたものである。原稿検出センサ３６は、このフォトインタラプタの受光部に光が受光されたことに基づいてセンサ信号を出力する。遮蔽部材が発光部と受光部との間の光路を遮断する位置にある状態では、発光部から出射された光が遮蔽部材により遮蔽されて受光部により受光されない。遮蔽部材が検出されているので、原稿検出センサ３６はＯＦＦ状態にある。原稿トレイ２２に原稿が載置されると、原稿が遮蔽部材に当接して遮蔽部材が回動される。これにより、遮蔽部材がフォトインタラプタの光路を遮断する位置から離脱する。このため、発光部から出射した光が受光部により受光される。すなわち、原稿検出センサ３６はＯＮ状態となる。このように、原稿トレイ２２に原稿が載置されることで原稿検出センサ３６の状態が変化するので、制御部５５は、センサ入力回路１２９から出力されるセンサ信号に基づいて、原稿トレイ２２における原稿の有無を判断することができる。
【００９８】
読取位置を設定する処理は、電源投入時に行われるか、ユーザによって所定の操作入力が行われるなど、予め定められたタイミングで実行される。また、読取位置を設定する処理は、前回の読取位置の設定処理から所定の時間が経過するか、又は、所定の時間が経過した後に電源が投入された場合に実行されてもよい。図７〜図１０は、スキャナ１０において電源投入時に読取位置を設定する処理が行われる場合の処理の手順を示すフローチャートである。なお、以下のフローチャートに基づいて説明するスキャナ１０の処理は、ＲＯＭ５７に格納されている制御プログラムに基づいて制御部５５が発行する命令に従って行われる。
【００９９】
制御部５５は、操作パネル１３からユーザによって所定の操作入力が行われたか否かに基づいて、スキャナ１０の電源が投入されたか否かを判断する（Ｓ１）。電源が投入されていないと制御部５５が判断した場合、（Ｓ１：ＮＯ）、待機状態となる。制御部５５は、スキャナ１０の電源が投入されたと判断した場合（Ｓ１：ＹＥＳ）、各モードの読取位置が記憶されているか否かを判断する（Ｓ２）。具体的には、制御部５５は、第１位置３１、第２位置３２、及び第３位置３３がＥＥＰＲＯＭ５９に記憶されているか否かを判断する。読取位置が全て記憶されていると制御部５５が判断した場合（Ｓ２：ＹＥＳ）、処理が終了される。
【０１００】
制御部５５は、第１位置３１、第２位置３２、及び第３位置３３のいずれか１つでも記憶されていないものがあると判断した場合（Ｓ２：ＮＯ）、第１位置３１が記憶されているか否かを判断する（Ｓ３）。制御部５５は、ＥＥＰＲＯＭ５９に第１位置３１が記憶されていないと判断した場合（Ｓ３：ＮＯ）、原稿トレイ２２に対する第１テスト原稿９８の載置を促す旨を報知する（Ｓ４）。例えば、制御部５５は、「原稿トレイに第１テスト原稿をセットしてください」などのメッセージを操作パネル１３に表示させる。
【０１０１】
図１１は、第１テスト原稿９８の一例を示す模式図である。図１２は、ラインセンサ４０の読取位置が変更される様子を示す模式断面図である。
【０１０２】
図１１に示されるように、第１テスト原稿９８は、白と黒の縞パターン（本発明の所定のパターンの一例）が１５０ｌｐｉ（line per inch）のピッチで記録されたものである。第１テスト原稿９８は、パターンの配列方向（図１１における左右方向）がスキャナ１０の奥行き方向（矢印３９で示される方向）と一致するように原稿トレイ２２に載置される。なお、白黒のパターンのピッチは１５０ｌｐｉに限定されるものではなく、ラインセンサ４０の性能などに応じて適宜変更されてもよい。
【０１０３】
制御部５５は、第１テスト原稿９８が原稿トレイ２２に載置されたか否かを原稿検出センサ３６（図４参照）から出力されるセンサ信号に基づいて判断する（Ｓ５）。第１テスト原稿９８が原稿トレイ２２に載置されていないと制御部５５が判断した場合（Ｓ５：ＮＯ）、ステップＳ４の処理が継続される。制御部５５は、原稿トレイ２２に第１テスト原稿９８が載置されたと判断した場合（Ｓ５：ＹＥＳ）、ＣＲモータ６５（図４参照）を制御してラインセンサ４０を読取開始位置へ移動させる（Ｓ６）。読取開始位置は、第１ガラス１８に対するラインセンサ４０の読取可能範囲（図２参照）の左端である（図１２（Ａ）参照）。制御部５５は、モータ７２（図４参照）を制御して第１テスト原稿９８を搬送路１２に沿って所定量搬送する。これにより、第１テスト原稿９８に記録されている白黒のパターンが第１ガラス１８の上方に配置される。そして、制御部５５は、ラインセンサ４０により第１ガラス１８を通して第１テスト原稿９８を読み取る（Ｓ７）。このステップＳ７の処理では、第１テスト原稿９８の画像が１ライン分或いは数ライン分読み取られる。制御部５５は、ステップＳ７の処理によって読み取られた第１テスト原稿９８の画像信号、及び以下に示す式３の演算式に基づいてＭＴＦ値を求める（Ｓ８）。
【０１０４】
【数３】
2008193177.tif 000005
【０１０５】
式３の演算式において、Ｉｍａｘは、入力画像の最高濃度である。換言すれば、Ｉｍａｘは、第１テスト原稿９８に記録された画像の最高濃度の理論値である。Ｉｍｉｎは、入力画像の最低濃度である。換言すれば、Ｉｍｉｎは、第１テスト原稿９８に記録された画像の最低濃度の理論値である。Ｄｍａｘは、出力画像の最高濃度である。Ｄｍｉｎは、出力画像の最低濃度である。
【０１０６】
制御部５５は、ステップＳ８の処理に続いて、第１設定数（本実施形態においては６個）のＭＴＦ値を取得したか否かを判断する（Ｓ９）。制御部５５は、６個のＭＴＦ値を取得していないと判断した場合（Ｓ９：ＮＯ）、ＣＲモータ６５を制御してラインセンサ４０を読取終了位置（図１２参照）側へ第１距離だけ移動させる（Ｓ１０）。このステップＳ１０の処理が行われることにより、ラインセンサ４０の読取位置が変更される。換言すれば、第１相対距離が変更される。第１ガラス１８における読取面２５は、原稿の搬送方向上流側よりも下流側がラインセンサ４０の移動面から離間されている。このため、ラインセンサ４０が移動されるに伴って、第１相対距離が大きくなる。なお、読取終了位置は、第１ガラス１８に対するラインセンサ４０の読取可能範囲（図２参照）の右端である（図１２（Ｃ）参照）。
【０１０７】
ステップＳ１０の処理によってラインセンサ４０の読取位置が変更された後、ラインセンサ４０がその読取位置に配置された状態でステップＳ７及びステップＳ８の処理が行われる。制御部５５は、ステップＳ７、ステップＳ８、及びステップＳ１０の処理を順に繰り返すことにより、第１相対距離が相異なる複数（本実施形態においては６つ）の位置で第１テスト原稿９８を第１ガラス１８を通して読み取る動作をラインセンサ４０に実行させる。そして、制御部５５は、この動作で得られた第１テスト原稿９８の画像信号に基づいて６箇所の位置毎にＭＴＦ値を求める。
【０１０８】
図１３は、第１テスト原稿９８を読み取って得られたＭＴＦ特性を示す図である。
【０１０９】
図１３（Ａ）において、横軸は、ＣＲモータ６５を駆動させてラインセンサ４０を移動させることにより変化する、ラインセンサ４０と第１ガラス１８における第１テスト原稿９８の読取面２５との相対距離、すなわち第１相対距離を示している。縦軸は、ＭＴＦ値を示している。図１３（Ａ）には、第１相対距離が相異なる６箇所の読取位置に対応するＭＴＦ値が示されている。横軸の「１」は、ラインセンサ４０が読取開始位置に配置された状態（図１２（Ａ）参照）におけるラインセンサ４０と第１テスト原稿９８との第１相対距離に対応している。横軸の「６」は、ラインセンサ４０が読取終了位置に配置された状態（図１２（Ｃ）参照）におけるラインセンサ４０と第１テスト原稿９８との第１相対距離に対応している。図１３（Ａ）に示されるように、ＭＴＦ曲線６８において横軸が「３．１」の第１相対距離に対応する読取位置（図１２（Ｂ）参照）にラインセンサ４０が配置された状態で得られた画像信号のＭＴＦ値が最も大きい。
【０１１０】
本実施形態においては、６個のＭＴＦ値を取得するために読取開始位置と読取終了位置との間でラインセンサ４０の読取位置が６箇所に変更されるように、上記の第１距離が設定されている。第１距離は、読取開始位置から読取終了位置までの距離、及び第１設定数に基づいて設定される。なお、取得するＭＴＦ値の数は６個に限定されるものではなく、第１距離を変更して例えば１０個のＭＴＦ値を取得するようにしてもよい。
【０１１１】
制御部５５は、６個のＭＴＦ値を取得したと判断した場合（Ｓ９：ＹＥＳ）、ＭＴＦ値が最大となる読取位置を仮読取位置に決定する（Ｓ１１）。具体的には、制御部５５は、ステップＳ８〜ステップＳ１０の処理を繰り返して求めた６個のＭＴＦ値からＭＴＦ曲線６８（図１３（Ａ）参照）を求める。ＭＴＦ値からＭＴＦ曲線６８を求める方法は周知であるため、ここではその方法の説明は省略する。制御部５５は、ＭＴＦ曲線６８からＭＴＦ値が最大となるラインセンサ４０の位置を仮読取位置に決定する。ここでは、図１３（Ａ）のＭＴＦ特性において横軸が「３．１」で表される第１相対距離に対応するＭＴＦ値が最大である。したがって、制御部５５は、横軸が「３．１」で表される第１相対距離となるラインセンサ４０の読取位置（図１２（Ｂ）参照）を仮読取位置に決定する。なお、ＭＴＦ曲線６８を求めることなく仮読取位置を決定してもよい。すなわち、制御部５５は、６個のＭＴＦ値の中からその値が最大となるものを判断し、そのＭＴＦ値に対応するラインセンサ４０の読取位置を仮読取位置に決定してもよい。仮読取位置は、ＲＡＭ５８の所定領域に一時的に記憶される。
【０１１２】
図８に示されるように、制御部５５は、ステップＳ１１の処理を行った後、仮読取位置から読取開始位置側へ第１距離の半分戻った位置へラインセンサ４０を移動させる（Ｓ１３）。具体的には、制御部５５は、ＣＲモータ６５をステップＳ１０の処理とは逆方向に回転させて、読取終了位置に配置されているラインセンサ４０を上記半分戻った位置へ移動させる。制御部５５は、ステップＳ７の処理と同様に第１テスト原稿９８を読み取る（Ｓ１４）。そして、制御部５５は、ステップＳ１４の処理によって再び読み取った第１テスト原稿９８の画像信号に基づいて、ステップＳ８の処理と同様にＭＴＦ値を求める（Ｓ１５）。
【０１１３】
制御部５５は、第１設定数（ここでは６個）のＭＴＦ値を取得したか否かを判断する（Ｓ１６）。このステップＳ１６の処理は、ステップＳ９の処理と同様に行われる。制御部５５は、６個のＭＴＦ値を取得していないと判断した場合（Ｓ１６：ＮＯ）、ＣＲモータ６５を制御してラインセンサ４０を読取終了位置側へ第２距離だけ移動させる（Ｓ１７）。この第２距離は、本実施形態においては第１距離の約２０％に設定されている。このため、ステップＳ１７の処理が行われることにより、ラインセンサ４０の読取位置がステップＳ１０の処理に比べて細かく変更される。
【０１１４】
ステップＳ１７の処理によってラインセンサ４０の読取位置が変更された後、ラインセンサ４０がその読取位置に配置された状態でステップＳ１４及びステップＳ１５の処理が行われる。制御部５５は、ステップＳ１４、ステップＳ１５、及びステップＳ１７の処理を繰り返すことにより、仮読取位置の前後において、第１相対距離が相異なる複数（ここでは６つ）の位置で第１テスト原稿９８を第１ガラス１８を通して読み取る動作をラインセンサ４０に実行させる。そして、制御部５５は、この動作で得られた第１テスト原稿９８の画像信号に基づいて６箇所の位置毎にＭＴＦ値を求める。
【０１１５】
図１３（Ｂ）において、横軸は、仮読取位置「３．１」の前後でラインセンサ４０を移動させることにより変化する、ラインセンサ４０と第１テスト原稿９８との第１相対距離を示している。縦軸は、ＭＴＦ値を示している。図１３（Ｂ）には、第１相対距離が相異なる仮読取位置の前後における６箇所の読取位置に対応するＭＴＦ値が示されている。
【０１１６】
制御部５５は、６個のＭＴＦ値を取得したと判断した場合（Ｓ１６：ＹＥＳ）、ＭＴＦ値が最大となる読取位置を第１位置３１に決定する（Ｓ１８）。具体的には、制御部５５は、ステップＳ１４〜ステップＳ１７の処理を繰り返して求めた６個のＭＴＦ値からＭＴＦ曲線６９（図１３（Ｂ）参照）を求める。制御部５５は、求めたＭＴＦ曲線６９からＭＴＦ値が最大となるラインセンサ４０の位置を第１位置３１に決定する。ここでは、図１３（Ｂ）のＭＴＦ特性において横軸が「３．４」で表される第１相対距離に対応するＭＴＦ値が最大である。したがって、制御部５５は、横軸が「３．４」で表される第１相対距離Ｄ１（図６（Ａ）参照）となるラインセンサ４０の読取位置（図６（Ａ）参照）を第１位置３１に決定する。このステップＳ１８の処理は、制御部５５がステップＳ５において原稿トレイ２２に対して第１テスト原稿９８が載置されたと判断したことを条件に行われる。第１位置３１は、通常モードに対する読取位置を示す情報である。この第１位置３１は、ＥＥＰＲＯＭ５９に記憶される。これにより、読取モードが通常モードに設定された場合、ラインセンサ４０が第１ガラス１８を通して原稿を読み取る際にＣＲモータ６５により第１位置３１に対応する読取位置に配置される。
【０１１７】
制御部５５は、第１位置３１がＥＥＰＲＯＭ５９に記憶されていると判断した場合（Ｓ３：ＹＥＳ）、又はステップＳ１８の処理を行った場合、ＥＥＰＲＯＭ５９に第２位置３２が記憶されているか否かを判断する（Ｓ２１）。制御部５５は、ＥＥＰＲＯＭ５９に第２位置３２が記憶されていないと判断した場合（Ｓ２１：ＮＯ）、原稿トレイ２２に対する第２テスト原稿９９の載置を促す旨を報知する（Ｓ２２）。例えば、制御部５５は、「原稿トレイに第２テスト原稿をセットしてください」などのメッセージを操作パネル１３に表示させる。
【０１１８】
図１４は、第２テスト原稿９９の一例を示す模式図である。
【０１１９】
図１４に示されるように、第２テスト原稿９９は、白と黒の縞パターンが７５ｌｐｉのピッチで記録されたものである。第２テスト原稿９９は、パターンの配列方向（図１４における左右方向）がスキャナ１０の奥行き方向（矢印３９で示される方向）と一致するように原稿トレイ２２に載置される。なお、白黒の縞パターンのピッチは７５ｌｐｉに限定されるものではなく、ラインセンサ４０の性能などに応じて適宜変更されてもよい。
【０１２０】
制御部５５は、第２テスト原稿９９が原稿トレイ２２に載置されたか否かを原稿検出センサ３６（図４参照）から出力されるセンサ信号に基づいて判断する（Ｓ２３）。第２テスト原稿９９が原稿トレイ２２に載置されていないと制御部５５が判断した場合（Ｓ２３：ＮＯ）、ステップＳ２２の処理が継続される。制御部５５は、原稿トレイ２２に第２テスト原稿９９が載置されたと判断した場合（Ｓ２３：ＹＥＳ）、ステップＳ６の処理と同様に、ラインセンサ４０を読取開始位置へ移動させる（Ｓ２４）。制御部５５は、モータ７２を制御して第２テスト原稿９９を搬送路１２に沿って所定量搬送する。これにより、第２テスト原稿９９に記録されている白黒のパターンが第１ガラス１８の上方に配置される。そして、制御部５５は、ラインセンサ４０により第１ガラス１８を通して第２テスト原稿９９を読み取る（Ｓ２５）。制御部５５は、ステップＳ２５の処理によって読み取られた第２テスト原稿９９の画像信号、及び上記式３の演算式に基づいてＭＴＦ値を求める（Ｓ２６）。
【０１２１】
制御部５５は、第２設定数（本実施形態においては１１個）のＭＴＦ値を取得したか否かを判断する（Ｓ２７）。制御部５５は、１１個のＭＴＦ値を取得していないと判断した場合（Ｓ２７：ＮＯ）、ＣＲモータ６５を制御してラインセンサ４０を読取終了位置（図１２（Ｃ）参照）側へ第３距離だけ移動させる（Ｓ２８）。これにより、ラインセンサ４０と第２テスト原稿９９との第１相対距離が変更される。なお、第３距離は、読取開始位置から読取終了位置までの距離、及び第３設定数に基づいて設定される距離である。したがって、例えば第２設定数が変更されれば、それに応じて変更される。
【０１２２】
ステップＳ２８の処理によってラインセンサ４０の読取位置が変更された後、ラインセンサ４０がその読取位置に配置された状態でステップＳ２５及びステップＳ２６の処理が行われる。制御部５５は、ステップＳ２５、ステップＳ２６、及びステップＳ２８の処理を繰り返すことにより、第１相対距離が相異なる複数（ここでは１１）の位置で第２テスト原稿９９を第１ガラス１８を通して読み取る動作をラインセンサ４０に実行させる。そして、制御部５５は、この動作で得られた第２テスト原稿９９の画像信号に基づいて１１箇所の位置毎にＭＴＦ値を求める。
【０１２３】
図１５は、第２テスト原稿９９を読み取って得られたＭＴＦ特性を示す図である。
【０１２４】
図１５において、横軸は、ＣＲモータ６５を駆動させてラインセンサ４０を移動させることにより変化する、ラインセンサ４０と第１ガラス１８における第２テスト原稿９９の読取面２５との相対距離、すなわち第１相対距離を示している。縦軸は、ＭＴＦ値を示している。図１５には、第１相対距離が相異なる１１箇所の読取位置に対応するＭＴＦ値が示されている。
【０１２５】
制御部５５は、１１個のＭＴＦ値を取得したと判断した場合（Ｓ２７：ＹＥＳ）、ＭＴＦ値の最大値を求める（Ｓ２９）。具体的には、制御部５５は、ステップＳ２５〜ステップＳ２８の処理を繰り返して求めた１１個のＭＴＦ値からＭＴＦ曲線６３（図１５参照）を求める。そして、制御部５５は、ＭＴＦ曲線６３のピークを判断してＭＴＦ値の最大値を求める。ここでは、図１５に示されるように、横軸が「３．５」で表される第１相対距離に対応するＭＴＦ値が最大値となる。
【０１２６】
制御部５５は、ＭＴＦ値がステップＳ２９の処理で求めた最大値未満であり、且つ最大値の８０％（本発明における所定の閾値の一例）以上となる位置を第２位置３２に決定する（Ｓ３０）。具体的には、制御部５５は、ステップＳ２９で求めた最大値の８０％となるＭＴＦ値を求める。例えば、最大値が１である場合、ＭＴＦ値は０．８となる。制御部５５は、求めたＭＴＦ値（ここでは０．８）に対応するラインセンサ４０の位置を判断する。図１５から明らかなように、ＭＴＦ値が０．８となるラインセンサ４０の位置はＭＴＦ値が最大値となる位置を挟んで２つ存在する。換言すれば、２つの同じＭＴＦ値が求められている。制御部５５は、これを条件として、そのＭＴＦ値に対応する第１相対距離がより短い読取位置（図６（Ｂ）参照）を第２位置３２と決定する。このステップＳ３０の処理は、制御部５５がステップＳ２３において原稿トレイ２２に対して第２テスト原稿９９が載置されたと判断したことを条件に行われる。ここで、第１相対距離がより長い読取位置を第２位置３２に設定すると、第１ガラス１８に対して原稿の浮きが生じた場合に、ラインセンサ４０の光源から原稿に照射される光の光量が大きく低下する。第１相対距離がより短い読取位置が第２位置３２に決定されることにより、第１ガラス１８に対して原稿の浮きが生じた場合に、読み取られた原稿の画像が極端に不明瞭になることが防止される。第２位置３２は、モアレ低減モードに対する読取位置である。第２位置３２は、ＥＥＰＲＯＭ５９に記憶される。これにより、読取モードがモアレ低減モードに設定された場合、ラインセンサ４０が第１ガラス１８を通して原稿を読み取る際にＣＲモータ６５により第２位置３２に対応する読取位置に配置される。図６（Ｂ）に示されるように、第１相対距離がＤ２となる読取位置にラインセンサ４０が配置される。なお、ＭＴＦ値の最大値の８０％は、所定の閾値の一例であり、モアレの程度などに応じて適宜変更されてもよい。
【０１２７】
制御部５５は、第２位置３２が記憶されていると判断した場合（Ｓ２１：ＹＥＳ）、又はステップＳ３０の処理を行った後に、第３位置３３（図４参照）がＥＥＰＲＯＭ５９に記憶されているか否かを判断する（Ｓ３２）。第３位置３３が記憶されていると制御部５５が判断した場合（Ｓ３２：ＹＥＳ）、処理が終了される。制御部５５は、第３位置３３が記憶されていないと判断した場合（Ｓ３２：ＮＯ）、第３テスト原稿（不図示）の載置を促す旨を報知する（Ｓ３３）。例えば、制御部５５は、「原稿トレイに第３テスト原稿をセットしてください」などのメッセージを操作パネル１３に表示させる。なお、第３テスト原稿は、白と黒の縞パターンが例えば５０ｌｐｉのピッチで記録されたものである。
【０１２８】
制御部５５は、第３テスト原稿が原稿トレイ２２に載置されたか否かを判断する（Ｓ３４）。このステップＳ３４の処理は、ステップＳ５の処理と同様に行われる。第３テスト原稿が原稿トレイ２２に載置されていないと制御部５５が判断した場合（Ｓ３４：ＮＯ）、ステップＳ３３の処理が継続される。制御部５５は、原稿トレイ２２に第３テスト原稿が載置されたと判断した場合（Ｓ３４：ＹＥＳ）、ステップＳ６の処理と同様に、ラインセンサ４０を読取開始位置へ移動させる（Ｓ３５）。制御部５５は、モータ７２を制御して第３テスト原稿を搬送路１２に沿って所定量搬送する。これにより、第３テスト原稿に記録されている白黒のパターンが第１ガラス１８の上方に配置される。そして、制御部５５は、ラインセンサ４０により第１ガラス１８を通して第３テスト原稿を読み取る（Ｓ３６）。制御部５５は、ステップＳ３６の処理によって読み取られた第３テスト原稿の画像信号、及び上記式３の演算式に基づいてＭＴＦ値を求める（Ｓ３７）。
【０１２９】
制御部５５は、第３設定数（例えば８個）のＭＴＦ値を取得したか否かを判断する（Ｓ３８）。制御部５５は、８個のＭＴＦ値を取得していないと判断した場合（Ｓ３８：ＮＯ）、ＣＲモータ６５を制御してラインセンサ４０を読取終了位置（図１２（Ｃ）参照）側へ第４距離だけ移動させる（Ｓ３９）。これにより、ラインセンサ４０と第１ガラス１８における第２テスト原稿９９の読取面２５との第１相対距離が変更される。なお、第４距離は、読取開始位置から読取終了位置までの距離、及び第３設定数に基づいて設定される。
【０１３０】
ステップＳ３９の処理によってラインセンサ４０の読取位置が変更された後、ラインセンサ４０がその読取位置に配置された状態でステップＳ３６及びステップＳ３７の処理が行われる。制御部５５は、ステップＳ３６、ステップＳ３７、及びステップＳ３９の処理を繰り返すことにより、第１相対距離が相異なる複数（ここでは８）の位置で第３テスト原稿を第１ガラス１８を通して読み取る動作をラインセンサ４０に実行させる。そして、制御部５５は、この動作で得られた第３テスト原稿の画像信号に基づいて８箇所の位置毎にＭＴＦ値を求める。
【０１３１】
制御部５５は、８個のＭＴＦ値を取得したと判断した場合（Ｓ３８：ＹＥＳ）、ＭＴＦ値の最大値を求める（Ｓ４０）。このステップＳ４０の処理は、ステップＳ２９の処理と同様に行われる。すなわち、ステップＳ４０の処理は、ステップＳ３６〜ステップＳ３９の処理を繰り返して求めた８個のＭＴＦ値からＭＴＦ曲線を求め、そのピークに対応するＭＴＦ値を判断することにより行われる。
【０１３２】
制御部５５は、ＭＴＦ値がステップＳ４０の処理で求めた最大値の２０％未満となる位置を第３位置３３に決定する（Ｓ４１）。具体的には、制御部５５は、ステップＳ４０で求めた最大値の２０％となるＭＴＦ値を求める。例えば、最大値が１である場合、ＭＴＦ値は０．２となる。制御部５５は、求めたＭＴＦ値（ここでは０．２）に対応するラインセンサ４０の位置を判断する。ステップＳ３７の処理で得られたＭＴＦ値から求めたＭＴＦ曲線は、ＭＴＦ曲線６８（図１３（Ａ）参照）やＭＴＦ曲線６３（図１５参照）と同様に、中央にピークを有する曲線である。このため、ＭＴＦ曲線から２つの同じＭＴＦ値が求められる。制御部５５は、第１相対距離がより短い読取位置（図６（Ｃ）参照）を第３位置３３と決定する。第３位置３３は、ぼかしモードに対する読取位置である。第３位置３３は、ＥＥＰＲＯＭ５９に記憶される。これにより、読取モードがぼかしモードに設定された場合、ラインセンサ４０が第１ガラス１８を通して原稿のぼかし領域を読み取る際にＣＲモータ６５により第３位置３３に対応する読取位置に配置される。図６（Ｃ）に示されるように、第１相対距離がＤ３となる読取位置にラインセンサ４０が配置される。なお、本実施形態においては、読取モードがぼかしモードに設定された場合、原稿のぼかし領域外の画像は、ラインセンサ４０が第２位置３２に対応する読取位置に配置された状態で読み取られる。すなわち、ぼかしモードでは、ＡＤＦ２８により搬送される原稿がその読取中にラインセンサ４０の読取位置を変更して読み取られる。ぼかしモードによる原稿の読み取りについては、後に詳述される。
【０１３３】
このように、第１テスト原稿９８（図１１参照）は、第１ガラス１８を通してラインセンサ４０により読み取られる。ラインセンサ４０は、ＣＲモータ６５により第１ガラス１８に対して移動される。第１ガラス１８に対するラインセンサ４０の位置が変更され、ラインセンサ４０により第１テスト原稿９８が読み取られる。これにより、ラインセンサ４０が配置された位置毎に第１テスト原稿９８の画像信号が得られる。これらの画像信号に基づいてラインセンサ４０の位置毎にＭＴＦ値が求められる（図１３参照）。各ＭＴＦ値に基づいて通常モードに対する読取位置（図６（Ａ）参照）を示す情報である第１位置３１が決定される。同様に、第２テスト原稿９９（図１４参照）を用いてモアレ低減モードに対する読取位置（図６（Ｂ）参照）を示す情報である第２位置３２が決定される。また、第３テスト原稿を用いてぼかしモードに対する読取位置（図６（Ｃ）参照）を示す情報である第３位置３３が決定される。
【０１３４】
このように、制御部５５は、通常モード、モアレ低減モード、又はぼかしモードにおいてＣＲモータ６５によりラインセンサ４０が配置される読取位置を、読取位置を変更して求めた各ＭＴＦ値に基づいてモード毎に決定する。
【０１３５】
なお、第１テスト原稿９８、第２テスト原稿９９、及び第３テスト原稿の３枚の原稿に代えて、第１位置３１〜第３位置３３の各位置を決定するための３つのパターンが記録された１枚のテスト原稿を用いて第１位置３１〜第３位置３３を決定してもよい。この場合、３つのパターンがスキャナ１０の奥行き方向（矢印３９で示される方向）に並んで記録されたテスト原稿を使用する。制御部５５は、テスト原稿の主走査方向における読取範囲を変更して各パターンの画像を個別に読み取る。そして、制御部５５は、得られたそれぞれの画像に基づいて第１位置３１〜第３位置３３を決定する。この場合、ユーザがテスト原稿を原稿トレイ２２に載置する手間が軽減される。また、３つのパターンが原稿の搬送方向に並んで記録されたテスト原稿を使用してもよい。この場合、テスト原稿を搬送することにより、第１ガラス１８上に配置されるパターンを変更して各パターンの画像を個別に読み取るようにすればよい。
【０１３６】
また、本実施形態においては、第１位置３１〜第３位置３３を決定するために３つのパターンを使用する形態について説明したが、これらの読取位置を決定するために使用する所定のパターンは１つであってもよい。例えば、第２テスト原稿９９及び第３テスト原稿を用いることなく第１テスト原稿９８のみを用いて第１位置３１〜第３位置３３を決定してもよい。この場合、制御部５５は、第１テスト原稿９８のパターンを読み取って得られたＭＴＦ特性の最大値に対応する読取位置を第１位置３１に決定する。そして、制御部５５は、その最大値の例えば８０％となるＭＴＦ値に対応する読取位置を第２位置３２に決定し、最大値の例えば５０％となるＭＴＦ値に対応する読取位置を第３位置３３に決定する。すなわち、第１位置３１〜第３位置３３を決定するために使用するパターンの数は任意である。
【０１３７】
図１６〜図１８は、ＡＤＦ２８により搬送される原稿を読み取る際にスキャナ１０において行われる処理の手順を示すフローチャートである。
【０１３８】
制御部５５は、原稿検出センサ３６から出力されるセンサ信号に基づいて、原稿トレイ２２に原稿が載置されたか否かを判断する（Ｓ５０）。原稿トレイ２２に原稿が載置されていないと制御部５５が判断した場合（Ｓ５０：ＮＯ）、待機状態となる。制御部５５は、原稿トレイ２２に原稿が載置されたと判断した場合（Ｓ５０：ＹＥＳ）、操作パネル１３からの所定操作により読取モードが選択されたか否かを判断する（Ｓ５１）。制御部５５は、読取モードが選択されていないと判断した場合（Ｓ５１：ＮＯ）、読取モードの選択を促す旨を報知する（Ｓ５２）。具体的には、制御部５５は、例えば「読取モードを選択してください」などのメッセージ、及び選択可能な読取モード（本実施形態においては、通常モード、モアレ低減モード、ぼかしモード）を操作パネル１３に表示させる。このステップＳ５２の処理は、ステップＳ５１の処理で読取モードが選択されたと制御部５５により判断されるまで継続される。制御部５５は、読取モードが選択されたと判断した場合（Ｓ５１：ＹＥＳ）、その情報を読取モード情報２４（図４参照）としてＲＡＭ５８に格納する（Ｓ５３）。このように、制御部５５は、通常モード、モアレ低減モード、又はぼかしモードの選択を受け付けていずれかのモードをＲＡＭ５８に設定する。なお、読取モードが選択されることなく原稿の読取開始が指示された場合に例えば通常モードが設定されるように、読取モードのデフォルトとして通常モードを設定しておいてもよい。
【０１３９】
制御部５５は、操作パネル１３からの所定の操作入力の有無に基づいて原稿の読取開始命令が入力されたか否かを判断する（Ｓ５４）。原稿の読取開始命令が入力されていないと制御部５５が判断した場合（Ｓ５４：ＮＯ）、処理がステップＳ５４へ戻される。制御部５５は、読取開始命令が入力されたと判断した場合（Ｓ５４：ＹＥＳ）、読取モードが通常モード、モアレ低減モード、及びぼかしモードのいずれに設定されたかをＲＡＭ５８に記憶されている読取モード情報２４に基づいて判断する（Ｓ５５）。
【０１４０】
制御部５５は、読取モードが通常モードに設定されていると判断した場合（Ｓ５５：通常モード）、基準部材３７（図２参照）に対してラインセンサ４０を第１位置３１に対応する読取位置へ移動させる（Ｓ５６）。この読取位置は、ＣＲモータ６５の駆動により基準部材３７の下方へ移動されたラインセンサ４０と基準部材３７の読取面２５との相対距離（第２相対距離）が、第１位置３１に配置されたラインセンサ４０と第１ガラス１８における原稿の読取面２５との相対距離（第１相対距離）と略等しくなる位置である。例えば、第１ガラス１８に対するラインセンサ４０の読取位置と、それに対応する基準部材３７に対するラインセンサ４０の読取位置とを対応付けて予め記憶しておくことにより、第１相対距離と第２相対距離とを略一致させることができる。すなわち、基準部材３７と読取面２５までの距離を一致させることが可能となる。ラインセンサ４０の光源から第１ガラス１８における読取面２５に照射された光と、ラインセンサ４０の光源から基準部材３７の読取面２７に照射された光との光量差が生じることが防止される。
【０１４１】
制御部５５は、第１光量調整値１０１及び第１白基準データ９０（図５参照）を取得する（Ｓ５７）。制御部５５は、ラインセンサ４０の光源に最初は小さい光量で基準部材３７の読取面２７へ向けて光照射させる。そして、制御部５５は、ラインセンサ４０の受光素子からの出力が所定値となるまで光源の光量を段階的に増加させ、受光量が所定値となったときの光量を第１光量調整値１０１として取得する。すなわち、第１光量調整値１０１は、ラインセンサ４０の受光素子の受光量が所定値となる光源の光量である。続いて、制御部５５は、ラインセンサ４０の光源から第１光量調整値１０１の光量で基準部材３７の読取面２７に光を照射する。そして、制御部５５は、読取面２７からの反射光をラインセンサ４０の受光素子で電気信号に変換して第１白基準データ９０を取得する。このステップＳ５７の処理によって取得された第１光量調整値１０１及び第１白基準データ９０は、ＲＡＭ５８に格納される。
【０１４２】
制御部５５は、ＡＤＦ２８により搬送される原稿を第１位置３１に対応する読取位置に配置されたラインセンサ４０により読み取る（Ｓ５８）。具体的には、制御部５５は、基準部材３７に対向配置されたラインセンサ４０をＣＲモータ６５を制御して第１位置３１に対応する読取位置（図６（Ａ）参照）へ移動させる。そして、制御部５５は、第１位置３１に対応する読取位置において第１ガラス１８上を搬送される原稿を読み取る動作をラインセンサ４０に実行させる。これにより、第１ガラス１８における原稿の読取面２５にラインセンサ４０のピントをほぼ合わせた状態で原稿の画像が読み取られる。このため、ラインセンサ４０が他の位置に配置されて原稿が読み取られる場合に比べて明瞭な原稿の画像が得られる。このようにして読み取られた原稿の画像（画像信号）は、ＡＦＥ回路７８、サンプリング回路８１、及び暗補正回路８２に処理される。
【０１４３】
シェーディング補正回路８３は、暗補正回路８２で処理された原稿の画像をステップＳ５７の処理で取得された第１白基準データ９０に基づいてシェーディング補正する（Ｓ５９）。フィルタ処理回路８５は、シェーディング補正された原稿の画像をＥＥＰＲＯＭ５９に記憶されている第１係数７５に基づいて強調処理する（Ｓ６０）。このように、フィルタ処理回路８５は、通常モードで得られた原稿の画像を第１係数７５で強調処理する。強調処理された原稿の画像は、解像度変換回路８６、色変換処理回路８７、及び２値化処理回路８８に処理された後にＲＡＭ５８の所定領域に格納される。
【０１４４】
制御部５５は、読取モードがモアレ低減モードに設定されていると判断した場合（Ｓ５５：モアレ低減モード）、基準部材３７（図２参照）に対してラインセンサ４０を第２位置３２に対応する読取位置へ移動させる（Ｓ６１）。この読取位置は、ＣＲモータ６５の駆動により基準部材３７の下方へ移動されたラインセンサ４０と基準部材３７の読取面２５との第２相対距離が、第２位置３２に対応する読取位置に配置されたラインセンサ４０と第１ガラス１８における原稿の読取面２５との第１相対距離と略等しくなる位置である。
【０１４５】
制御部５５は、第２光量調整値１０２及び第２白基準データ９１（図５参照）を取得する（Ｓ６２）。このステップＳ６２の処理は、基準部材３７に対するラインセンサ４０の読取位置が異なる点を除いてステップ５７の処理と同様に行われる。このステップＳ６２の処理によって取得された第２光量調整値１０２及び第２白基準データ９１は、ＲＡＭ５８に格納される。
【０１４６】
制御部５５は、ＡＤＦ２８により搬送される原稿を第２位置３２に対応する読取位置に配置されたラインセンサ４０により読み取る（Ｓ６３）。具体的には、制御部５５は、基準部材３７に対向配置されたラインセンサ４０をＣＲモータ６５を制御して第２位置３２に対応する読取位置（図６（Ｂ）参照）へ移動させる。そして、制御部５５は、第２位置３２に対応する読取位置において第１ガラス１８上を搬送される原稿を読み取る動作をラインセンサ４０に実行させる。これにより、第１ガラス１８における原稿の読取面２５からラインセンサ４０のピントを若干ずらした状態で原稿の画像が読み取られる。このようにして読み取られた原稿の画像（画像信号）は、ＡＦＥ回路７８、サンプリング回路８１、及び暗補正回路８２に処理される。
【０１４７】
シェーディング補正回路８３は、暗補正回路８２で処理された原稿の画像をステップＳ６２の処理で取得された第２白基準データ９１に基づいてシェーディング補正する（Ｓ６４）。フィルタ処理回路８５は、シェーディング補正された原稿の画像をＥＥＰＲＯＭ５９に記憶されている第２係数７６に基づいて強調処理する（Ｓ６５）。このように、フィルタ処理回路８５は、モアレ低減モードで得られた原稿の画像を第２係数７６で強調処理する。なお、第２係数７６は、第１係数７５よりも大きい値の係数である。このため、ステップＳ６３の処理で読み取られた原稿の画像は、ステップＳ５８の処理で読み取られた原稿の画像よりも強調される。モアレ低減モードで原稿が読み取られることにより、モアレの発生が抑制され且つ画像がぼやけることが防止される。強調処理された原稿の画像は、解像度変換回路８６、色変換処理回路８７、及び２値化処理回路８８に処理された後にＲＡＭ５８の所定領域に格納される。
【０１４８】
制御部５５は、読取モードがぼかしモードに設定されていると判断した場合（Ｓ５５：ぼかしモード）、操作パネル１３からの所定操作の有無に基づいてぼかし領域を指定する情報が入力されたか否かを判断する（Ｓ６６）。ここで、ぼかし領域は、ＡＤＦ２８により搬送される原稿の読取領域のうち、ぼかして読み取る領域である。制御部５５は、ぼかし領域を指定する情報が入力されていないと判断した場合（Ｓ６６：ＮＯ）、ぼかし領域の指定を促す旨を報知する（Ｓ６７）。例えば、制御部５５は、「ぼかし領域を指定してください」等のメッセージを操作パネル１３に表示させる。このステップＳ６７の処理は、ステップＳ６６の処理においてＹＥＳと判断されるまで継続される。
【０１４９】
制御部５５は、ぼかし領域を指定する情報が入力されたと判断した場合（Ｓ６６：ＹＥＳ）、原稿における読取領域をぼかし領域内とぼかし領域外との区画する（Ｓ６８）。このように、制御部５５は、外部から入力された情報に基づいて、ＡＤＦ２８により搬送される原稿におけるラインセンサ４０の読取領域を複数の領域（ここでは２つの領域）に区画する。
【０１５０】
制御部５５は、基準部材３７に対してラインセンサ４０を第２位置３２に対応する読取位置へ移動させる（Ｓ６９）。制御部５５は、ステップＳ６２の処理と同様に、第２光量調整値１０２及び第２白基準データ９１を取得する（Ｓ７０）。取得された第２光量調整値１０２及び第２白基準データ９１は、ＲＡＭ５８に格納される。制御部５５は、基準部材３７に対してラインセンサ４０を第３位置３３に対応する読取位置へ移動させる（Ｓ７１）。なお、この読取位置は、ＣＲモータ６５の駆動により基準部材３７の下方へ移動されたラインセンサ４０と基準部材３７の読取面２５との第２相対距離が、第３位置３３に対応する読取位置に配置されたラインセンサ４０と第１ガラス１８における原稿の読取面２５との第１相対距離と略等しくなる位置である。制御部５５は、ステップＳ５７の処理と同様に、第３光量調整値１０３及び第３白基準データ９２を取得する（Ｓ７２）。取得された第３光量調整値１０３及び第３白基準データ９２は、ＲＡＭ５８に格納される。
【０１５１】
図１８に示されるように、制御部５５は、ＡＤＦ２８により搬送される原稿を第２位置３２に対応する読取位置に配置されたラインセンサ４０により読み取る（Ｓ７４）。具体的には、制御部５５は、基準部材３７に対向配置されたラインセンサ４０をＣＲモータ６５を制御して第２位置３２に対応する読取位置（図６（Ｂ）参照）へ移動させる。そして、制御部５５は、第２位置３２に対応する読取位置において第１ガラス１８上を搬送される原稿を読み取る動作をラインセンサ４０に実行させる。これにより、第１ガラス１８における原稿の読取面２５からラインセンサ４０のピントを若干ずらした状態で原稿の画像が読み取られる。
【０１５２】
制御部５５は、ＡＤＦ２８により搬送される原稿のぼかし領域が第１ガラス１８における読取面２５（図６（Ｃ）参照）に到達したか否かを判断する（Ｓ７５）。このステップＳ７５の判断は、ステップＳ６８により区画されたぼかし領域の情報、及びＡＤＦ２８による原稿の搬送が開始されてからのモータ７２（図４参照）のステップ数に基づいて判断される。ぼかし領域が到達していないと判断した場合（Ｓ７５：ＮＯ）、制御部５５は、原稿が第１ガラス１８上を通過したか否かを判断する（Ｓ７６）。原稿が第１ガラス１８上を通過していないと制御部５５が判断した場合（Ｓ７６：ＮＯ）、処理がＳ７４へ戻される。
【０１５３】
制御部５５は、ぼかし領域が到達したと判断した場合（Ｓ７５：ＹＥＳ）、ＡＤＦ２８により搬送される原稿を第３位置３３に対応する読取位置（図６（Ｃ）参照）に配置されたラインセンサ４０により読み取る（Ｓ７７）。具体的には、制御部５５は、第２位置３２に配置されているラインセンサ４０をＣＲモータ６５を制御して第３位置３３に対応する読取位置へ移動させる。そして、制御部５５は、第３位置３３に対応する読取位置において第１ガラス１８上を搬送される原稿を読み取る動作をラインセンサ４０に実行させる。これにより、第１ガラス１８における原稿の読取面２５からラインセンサ４０のピントを極端にずらした状態で原稿の画像が読み取られる。
【０１５４】
このように、制御部５５は、ぼかしモードに対する読取位置を複数の領域（本実施形態においては、ぼかし領域内とぼかし領域外）毎に決定する。そして、制御部５５は、ぼかしモードにおける搬送される原稿の読取中に、領域（ぼかし領域内とぼかし領域外）毎にラインセンサ４０の位置を変更する。これにより、領域によってラインセンサ４０の解像力が変更されて原稿が読み取られる。その結果、得られた原稿の画像は、一部の領域で画像がぼかされたものとなる。
【０１５５】
制御部５５は、ぼかし領域が第３位置３３の読取位置に対応する第１ガラス１８の読取面２５（図６（Ｃ）参照）を通過したか否かを判断する（Ｓ７８）。このステップＳ７８の判断は、ステップＳ６８の処理で区画されたぼかし領域の情報、及びＡＤＦ２８による原稿の搬送が開始されてからのモータ７２のステップ数に基づいて行われる。ぼかし領域が通過していないと制御部５５が判断した場合（Ｓ７８：ＮＯ）、ステップＳ７７の処理が継続される。ぼかし領域が通過したと制御部５５が判断した場合（Ｓ７８：ＹＥＳ）、処理がステップＳ７６へ進められる。制御部５５は、原稿が第１ガラス１８上を通過したと判断した場合（Ｓ７６：ＹＥＳ）、原稿の読み取りが完了したと判断する。
【０１５６】
ステップＳ７４及びステップＳ７７の処理によって読み取られた原稿の画像（画像信号）は、ＡＦＥ回路７８、サンプリング回路８１、及び暗補正回路８２に処理される。ステップＳ７６の処理で制御部５５がＹＥＳと判断した場合、シェーディング補正回路８３は、ぼかし領域外の画像をステップＳ７０の処理によって取得された第２白基準データ９１に基づいてシェーディング補正する（Ｓ７９）。また、シェーディング補正回路８３は、ぼかし領域内の画像をステップＳ７２の処理によって取得された第３白基準データ９２に基づいてシェーディング補正する（Ｓ８０）。
【０１５７】
フィルタ処理回路８５は、シェーディング補正されたぼかし領域外の画像をＥＥＰＲＯＭ５９に記憶されている第２係数７６（図５参照）に基づいて強調処理する（Ｓ８１）。強調処理されたぼかし領域内の画像、及びぼかし領域外の画像は、解像度変換回路８６、色変換処理回路８７、及び２値化処理回路８８に処理された後にＲＡＭ５８の所定領域に格納される。
【０１５８】
ぼかしモードでは、操作パネル１３からぼかし領域を指定する情報が入力される。ＡＤＦ２８により搬送される原稿の読取領域は、この情報に基づいてぼかし領域内とぼかし領域外とに区画される。ぼかしモードでは、ラインセンサ４０の読取位置が区画された領域毎に決定される。本実施形態においては、ぼかし領域外を読み取るラインセンサ４０の読取位置が第２位置３２に決定され、ぼかし領域内を読み取るラインセンサ４０の読取位置が第３位置３３に決定される。このため、原稿におけるぼかし領域内の読取中と、ぼかし領域外の読取中とでは、ラインセンサ４０の読取位置が変更される。これにより、ぼかし領域内とぼかし領域外とでは、ラインセンサ４０の解像力が変更して原稿が読み取られる。その結果、得られた原稿の画像は、全体としてモアレの発生が抑制され、且つ一部の領域で画像がぼかされたものとなる。
【０１５９】
以上説明したように、スキャナ１０は、通常モード、モアレ低減モード、又はぼかしモードに設定される。通常モードでは、ラインセンサ４０は、制御部５５により第１相対距離がラインセンサ４０の焦点距離と略一致する位置に配置される。ラインセンサ４０のピントがあった状態で原稿が読み取られるので、鮮明な原稿の画像が得られる。モアレ低減モードやぼかしモードでは、ラインセンサ４０は、制御部５５により第１相対距離がラインセンサ４０の焦点距離と異なる位置に配置される。ラインセンサ４０の解像力を低下させた状態で原稿が読み取られるので、通常モードに比べて、モアレの発生が抑制された原稿の画像や、画像をぼかした原稿の画像が得られる。なお、読取モードの切り替えは、操作パネル１３からの操作入力に基づいて行われる。すなわち、ユーザの選択に応じてラインセンサ４０の解像力が容易に変更される。
【０１６０】
上記３つの読取モードのいずれかが設定されることにより、ＣＲモータ６５が制御部５５により駆動されて、第１ガラス１８における原稿の読取面２５とラインセンサ４０との第１相対距離が変更される。すなわち、ラインセンサ４０の駆動源を利用して第１相対距離が変更される。このため、搬送される原稿を読み取るラインセンサ４０と原稿の読取面２５との第１相対距離を変更するための駆動機構を追加することなく、モアレの発生を抑制した高画質な画像読み取りを行うことができる。
【０１６１】
なお、ここでは、原稿のぼかし領域外が第２位置３２に対応する読取位置に配置されたラインセンサ４０により読み取られる形態について説明したが、原稿のぼかし領域外は、第１位置３１に対応する読取位置に配置されたラインセンサ４０により読み取られてもよい。すなわち、原稿におけるぼかし領域外の画像が通常モードと同じように読み取られてもよい。この場合、原稿の画像に対するシェーディング補正には、第２白基準データ９１に代えて第１白基準データ９０が使用される。また、原稿の画像に対する強調処理には、第２係数７６に代えて第１係数７５が使用される。
【０１６２】
本実施形態に係る第２ガラス２０は、スキャナ１０の高さ方向に上下動可能に構成されたものでもよい。
【０１６３】
図１９は、第２ガラス２０の昇降機構１１０を示す模式図である。
【０１６４】
図１９に示されるように、昇降機構１１０は、固定部材１１１と、スライド部材１１２と、支持部材１１３，１１４と、コイルバネ１１５，１１６，１１７，１１８とを備える。第２ガラス２０は、スキャナ１０の奥行き方向（矢印３９で示される方向）の両端に支持部材１１３，１１４が固定されている。固定部材１１１は、コイルバネ１１５，１１６を介して支持部材１１３を支持する。この固定部材１１１は、筐体１５に固定されている。スライド部材１１２は、コイルバネ１１７，１１８を介して支持部材１１４を支持する。このスライド部材１１２は、筐体１５に対してスキャナ１０の奥行き方向へスライド可能に設けられている。スライド部材１１２には、図外のモータからの駆動力が伝達される。スライド部材１１２は、この駆動力を受けてスライド移動する。固定部材１１１及びスライド部材１１２には、第２ガラス２０へ向けて下る傾斜面１１８，１１９が設けられている。支持部材１１３には、傾斜面１１８と平行な当接面１２０が形成されている。支持部材１１４には、傾斜面１１９と平行な当接面１２１が形成されている。
【０１６５】
スライド部材１１２は、モータからの駆動力を受けて固定部材１１１に近接する方向（図１９の左方向）へスライド移動する。支持部材１１３が傾斜面１１８により押し上げられると共に支持部材１１４が傾斜面１１９により押し上げられ、第２ガラス２０が上昇する。コイルバネ１１５，１１７は、第２ガラス２０の上昇に伴って収縮され、第２ガラス２０を下方へ押し下げるバネ力を蓄える。コイルバネ１１６，１１８は、第２ガラス２０の上昇に伴って伸張され、第２ガラス２０を下方へ引き下げるバネ力を蓄える。スライド部材１１２は、モータが逆回転されることにより固定部材１１１から離間する方向（図１９の右方向）へスライド移動する。支持部材１１３，１１４がコイルバネ１１５〜１１８が蓄えたバネ力によって傾斜面１１８，１１９に沿って下方へ移動し、第２ガラス２０が下降する。
【０１６６】
上述のように、第１ガラス１８における原稿の読取面２５は、ラインセンサ４０の移動面に対して傾斜されている。このため、ラインセンサ４０の移動に伴ってラインセンサ４０対応する読取面２５の高さが変化する。第２ガラス２０を上下動させて第２ガラス２０の上面と読取面２５の高さとを一致させることにより、ＦＢＳにおいても読取モードを変更して第２ガラス２０に載置された原稿を読み取ることが可能である。すなわち、ＦＢＳにおいても、上述の通常モード、モアレ低減モード、及びぼかしモードによる原稿の読み取りが可能である。
【０１６７】
［第２実施形態］
以下に、本発明の第２実施形態が説明される。第２実施形態は、第１ガラス１８及びその周辺の構成、基準部材３７及びその周辺の構成が異なるほかは、第１実施形態と同様の構成であるので、これら以外の構成の説明は省略される。
【０１６８】
図２０及び図２１は、本発明の第２実施形態に係るスキャナ１０における搬送路１２の一部を示す模式断面図である。
【０１６９】
本発明の第２の実施形態に係るスキャナ１０においては、第１ガラス１８及び基準部材３７がラインセンサ４０の移動面と平行に設けられている。また、ガイド部材３４の裏面には、第１ガラス１８に対して原稿の搬送方向上流側及び下流側に第１スペーサ９４が設けられている。この第１スペーサ９４は、ラインセンサ４０が第１ガラス１８と対向した状態でラインセンサ４０と第１ガラス１８との間に介在する。第１スペーサ９４は、ラインセンサ４０が移動する方向（図２０の矢印３８で示される方向）に厚みが階段状に変化するものである。第１スペーサ９４は、ＡＤＦ２８により搬送される原稿の搬送方向上流側から下流側へ向けて段階的に厚みが増す段差部２６が形成されている。一方、キャリッジ４１は、ローラ３０が設けられている長手方向の両端に段差部５０を有する。段差部５０は、段差部２６に対応して、ＡＤＦ２８により搬送される原稿の搬送方向下流側から上流側へ向けて段階的に高くなるように形成されている。
【０１７０】
ガイドシャフト４２は、上方へ付勢された状態で筐体１５に上下動可能に支持されている。キャリッジ４１は、キャリッジ４１の段差部５０が段差部２６を昇降するように矢印３８で示される方向に移動する。例えば、キャリッジ４１は、原稿の搬送方向下流側から上流側へ向けて移動する（図２０及び図２１参照）。これにより、キャリッジ４１に搭載されているラインセンサ４０の高さが変化する。その結果、ラインセンサ４０と、第１ガラス１８における原稿の読取面２５との相対距離である第１相対距離がＤ５からＤ６へ変更される。なお、図２０及び図２１には第１相対距離が２段階に変更されるように第１スペーサ９４に２段の段差部２６が設けられているが、段差部２６の段数を増加させて第１相対距離が３段階以上に変更されるようにしてもよい。
【０１７１】
第２スペーサ９６は、スキャナ１０の幅方向（矢印３８で示される方向）における基準部材３７の両側に設けられている。第２スペーサ９６は、ラインセンサ４０が基準部材３７と対向した状態でラインセンサ４０と基準部材３７との間に介在する。第２スペーサ９６は、第１スペーサ９４と同形状のものである。すなわち、第２スペーサ９６は、ラインセンサ４０が移動する方向（矢印３８で示される方向）に厚みが階段状に変化するものである。ラインセンサ４０が基準部材３７に対向して移動されることにより、ラインセンサ４０と基準部材３７における読取面との第２相対距離が段階的に変更される。
【０１７２】
図２２は、第１スペーサ１０４及び第２スペーサ１０６を示す模式断面図である。
【０１７３】
本発明における第１スペーサ及び第２スペーサは、第１スペーサ９４及び第２スペーサ９６に限定されるものではない。すなわち、本発明における第１スペーサ及び第２スペーサは、図２２に示されるように、ラインセンサ４０が移動する方向にその厚みがくさび状に変化する第１スペーサ１０４及び第２スペーサ１０６であってもよい。
【図面の簡単な説明】
【０１７４】
【図１】図１は、本発明の第１実施形態に係るスキャナ１０の外観構成を示す斜視図であり、原稿カバー１７が開かれた状態を示す。
【図２】図２は、本発明の第１実施形態に係るスキャナ１０における搬送路１２の一部を示す模式断面図である。
【図３】図３は、原稿台１１の内部構成を示す平面図である。
【図４】図４は、スキャナ１０の制御部５５の構成例を示すブロック図である。
【図５】図５は、画像処理回路７９の構成例を示すブロック図である。
【図６】図６は、ラインセンサ４０の読取位置を例示した模式断面図であり、（Ａ）は第１位置３１に対応する読取位置、（Ｂ）は第２位置３２に対応する読取位置、（Ｃ）は第３位置３３に対応する読取位置を示す。
【図７】図７は、スキャナ１０において電源投入時に読取位置を設定する処理が行われる場合の処理の手順を示すフローチャートである。
【図８】図８は、スキャナ１０において電源投入時に読取位置を設定する処理が行われる場合の処理の手順を示すフローチャートである。
【図９】図９は、スキャナ１０において電源投入時に読取位置を設定する処理が行われる場合の処理の手順を示すフローチャートである。
【図１０】図１０は、スキャナ１０において電源投入時に読取位置を設定する処理が行われる場合の処理の手順を示すフローチャートである。
【図１１】図１１は、第１テスト原稿９８の一例を示す模式図である。
【図１２】図１２は、ラインセンサ４０の読取位置が変更される様子を示す模式断面図である。
【図１３】図１３は、第１テスト原稿９８を読み取って得られたＭＴＦ特性を示す図である。
【図１４】図１４は、第２テスト原稿９９の一例を示す模式図である。
【図１５】図１５は、第２テスト原稿９９を読み取って得られたＭＴＦ特性を示す図である。
【図１６】図１６は、ＡＤＦ２８により搬送される原稿を読み取る際にスキャナ１０において行われる処理の手順を示すフローチャートである。
【図１７】図１７は、ＡＤＦ２８により搬送される原稿を読み取る際にスキャナ１０において行われる処理の手順を示すフローチャートである。
【図１８】図１８は、ＡＤＦ２８により搬送される原稿を読み取る際にスキャナ１０において行われる処理の手順を示すフローチャートである。
【図１９】図１９は、第２ガラス２０の昇降機構１１０を示す模式図である。
【図２０】図２０は、本発明の第２実施形態に係るスキャナ１０における搬送路１２の一部を示す模式断面図である。
【図２１】図２０は、本発明の第２実施形態に係るスキャナ１０における搬送路１２の一部を示す模式断面図である。
【図２２】図２２は、第１スペーサ１０４及び第２スペーサ１０６を示す模式断面図である。
【符号の説明】
【０１７５】
１０・・・スキャナ（本発明に係る画像読取装置の一例）
１２・・・搬送路（本発明の経路に相当）
１３・・・操作パネル
１８・・・第１ガラス（本発明の第１透過部材の一例）
２０・・・第２ガラス（本発明の第２透過部材の一例）
２５，２７・・・読取面
３１・・・第１位置
３２・・・第２位置
３３・・・第３位置
３７，５３・・・基準部材
４０・・・ラインセンサ
５５・・・制御部（本発明の制御部、設定部、受付部、演算部、決定部、第１報知部、第１判断部、第２報知部、第２判断部、区画部に相当）
６５・・・ＣＲモータ（本発明の駆動部に相当）
７５・・・第１係数（本発明の第１強調係数の一例）
７６・・・第２係数（本発明の第２強調係数の一例）
８５・・・フィルタ処理回路（本発明の強調部に相当）
９４，１０４・・・第１スペーサ
９６，１０６・・・第２スペーサ
９８・・・第１テスト原稿（本発明のテスト原稿の一例）
９９・・・第２テスト原稿（本発明のテスト原稿の一例）
【図１】
2008193177.tif 000006
【図２】
2008193177.tif 000007
【図３】
2008193177.tif 000008
【図４】
2008193177.tif 000009
【図５】
2008193177.tif 000010
【図６】
2008193177.tif 000011
【図７】
2008193177.tif 000012
【図８】
2008193177.tif 000013
【図９】
2008193177.tif 000014
【図１０】
2008193177.tif 000015
【図１１】
2008193177.tif 000016
【図１２】
2008193177.tif 000017
【図１３】
2008193177.tif 000018
【図１４】
2008193177.tif 000019
【図１５】
2008193177.tif 000020
【図１６】
2008193177.tif 000021
【図１７】
2008193177.tif 000022
【図１８】
2008193177.tif 000023
【図１９】
2008193177.tif 000024
【図２０】
2008193177.tif 000025
【図２１】
2008193177.tif 000026
【図２２】
2008193177.tif 000027